(57)【特許請求の範囲】
【請求項１】
貨幣を金種毎に収納するとともに収納されている貨幣を繰り出し可能な複数の収納繰出部（５２）と、
各前記収納繰出部（５２）から貨幣を繰り出している際に当該収納繰出部（５２）から貨幣を繰り出すことができなくなる特定状態となったことを前記収納繰出部（５２）毎に検出する検出手段（２１０）と、
各前記収納繰出部（５２）から繰り出された貨幣を出金するための出金部（９０）と、
前記検出手段（２１０）により前記収納繰出部（５２）が前記特定状態となったことが検出された場合に当該検出手段（２１０）による検出情報を記憶する記憶部（２０６）と、
貨幣の出金処理を行う際に、前記収納繰出部（５２）から貨幣を金種毎に繰り出させて前記出金部（９０）に送るよう各前記収納繰出部（５２）を制御し、出金されるべき貨幣のうち前記収納繰出部（５２）から繰り出し可能な貨幣が全て前記出金部（９０）に送られた後に、前記検出手段（２１０）による検出情報が前記記憶部（２０６）に記憶されている場合には、前記特定状態となった金種とは異なる金種の貨幣を収納する前記収納繰出部（５２）から貨幣を出金せずに前記収納繰出部（５２）が前記特定状態である旨の情報を出力する制御部（２００）と、
を備えた、貨幣処理装置（１０）。
【請求項２】
前記制御部（２００）により出力された情報を報知するための報知部（２０２）を更に備えた、請求項１記載の貨幣処理装置（１０）。
【請求項３】
前記制御部（２００）は、前記検出手段（２１０）によりある金種に係る前記収納繰出部（５２）が前記特定状態となったことが検出された場合に、自動で次の金種に係る前記収納繰出部（５２）から貨幣を繰り出させて前記出金部（９０）に送るよう各前記収納繰出部（５２）を制御する、請求項１または２記載の貨幣処理装置（１０）。
【請求項４】
前記制御部（２００）は、前記検出手段（２１０）によりある金種に係る前記収納繰出部（５２）が前記特定状態となったことが検出された場合に、確認指令が前記制御部（２００）に入力されたことを条件として次の金種に係る前記収納繰出部（５２）から貨幣を繰り出させて前記出金部（９０）に送るよう各前記収納繰出部（５２）を制御する、請求項１または２記載の貨幣処理装置（１０）。
【請求項５】
前記特定状態は、出金されるべき貨幣が前記収納繰出部（５２）において不足している状態のことである、請求項１乃至４のいずれか一項に記載の貨幣処理装置（１０）。
【請求項６】
前記制御部（２００）は、出金されるべき貨幣のうち前記収納繰出部（５２）から繰り出し可能な貨幣が全て前記出金部（９０）に送られた後に、前記検出手段（２１０）による検出情報が前記記憶部（２０６）に記憶されている場合に、前記特定状態となっていることが前記検出手段（２１０）により検出された前記収納繰出部（５２）に係る金種の貨幣の補充処理を行うことができるようになっている、請求項５記載の貨幣処理装置（１０）。
【請求項７】
前記制御部（２００）は、出金されるべき貨幣のうち前記収納繰出部（５２）から繰り出し可能な貨幣が全て前記出金部（９０）に送られた後に、前記検出手段（２１０）による検出情報が前記記憶部（２０６）に記憶されている場合に、出金されるべき貨幣のうち前記出金部（９０）に送られなかった貨幣に関する情報を出力する、請求項５または６記載の貨幣処理装置（１０）。
【請求項８】
前記特定状態は、前記収納繰出部（５２）において貨幣の詰まりが発生した状態のことである、請求項１乃至４のいずれか一項に記載の貨幣処理装置（１０）。
【請求項９】
貨幣を金種毎に収納するとともに収納されている貨幣を繰り出し可能な複数の収納繰出部（５２）と、各前記収納繰出部（５２）から繰り出された貨幣を出金するための出金部（９０）とを備えた貨幣処理装置（１０）による貨幣処理方法であって、
貨幣の出金処理を行う際に、前記収納繰出部（５２）から貨幣を金種毎に繰り出させて前記出金部（９０）に送る工程と、
前記収納繰出部（５２）から貨幣を金種毎に繰り出させて前記出金部（９０）に送る際に当該収納繰出部（５２）から貨幣を繰り出すことができなくなる特定状態となったことを前記収納繰出部（５２）毎に検出する工程と、
前記収納繰出部（５２）が前記特定状態となったことが検出された場合に検出情報を記憶部（２０６）に記憶させる工程と、
出金されるべき貨幣のうち前記収納繰出部（５２）から繰り出し可能な貨幣が全て前記出金部（９０）に送られた後に、検出情報が前記記憶部（２０６）に記憶されている場合には、前記特定状態となった金種とは異なる金種の貨幣を収納する前記収納繰出部（５２）から貨幣を出金せずに前記収納繰出部（５２）が前記特定状態である旨の情報を出力する工程と、
を備えた、貨幣処理方法。
【発明の詳細な説明】
【技術分野】
【０００１】
本発明は、少なくとも貨幣の出金処理を行う貨幣処理装置およびこのような貨幣処理装置による貨幣処理方法に関する。
【背景技術】
【０００２】
従来から、紙幣や硬貨等の貨幣の入金処理や出金処理を行う貨幣処理装置として様々なタイプのものが知られている。例えば、特許文献１には、少なくともバラ硬貨の出金処理を行う硬貨処理装置が開示されている。特許文献１に開示される硬貨処理装置は、バラ硬貨を金種毎に収納するとともに収納されているバラ硬貨を繰り出し可能な複数の収納繰出部と、バラ硬貨の出金処理を行う際に各収納繰出部から繰り出されたバラ硬貨を搬送する出金搬送部と、出金搬送部から送られたバラ硬貨が一時的に保留される出金一時保留部と、筐体の外部から操作者がアクセス可能となっており、出金一時保留部からバラ硬貨が送られる出金箱とを備えている。
【０００３】
特許文献１に開示される硬貨処理装置においてバラ硬貨の出金処理を行う際に、操作者が出金処理開始の指令（具体的には、出金されるべきバラ硬貨の金種毎の枚数や合計金額等の情報）を入力すると、出金されるべき複数の金種のバラ硬貨のうち１金種目のバラ硬貨が当該金種に対応する収納繰出部から繰り出されて出金搬送部により出金一時保留部に送られる。そして、出金されるべき１金種目のバラ硬貨が全て出金一時保留部に送られると、２金種目のバラ硬貨が当該金種に対応する収納繰出部から繰り出されて出金搬送部により出金一時保留部に送られる。なお、全ての金種のバラ硬貨を各収納繰出部から同時に繰り出すと出金搬送部の搬送路で詰まりが生じる可能性がある為、バラ硬貨は１金種ずつ各収納繰出部から繰り出される。このようにして、出金されるべき全ての金種のバラ硬貨について金種毎にバラ硬貨が収納繰出部から繰り出されて出金搬送部により出金一時保留部に送られる。そして、出金されるべき全ての金種のバラ硬貨が全て出金一時保留部に送られた後、操作者により出金確定指令が入力されると、出金一時保留部に一時的に保留されているバラ硬貨が当該出金一時保留部から出金箱に送られ、操作者はこの出金箱から出金硬貨を取り出し可能となる。
【先行技術文献】
【特許文献】
【０００４】
【特許文献１】特許第５６７４５０１号
【発明の概要】
【発明が解決しようとする課題】
【０００５】
特許文献１に開示されるような従来の硬貨処理装置においてバラ硬貨の出金処理を行う際に、出金されるべき複数の金種のバラ硬貨のうちある金種のバラ硬貨を収納繰出部から繰り出している間に当該収納繰出部が空状態となってしまい出金されるべきバラ硬貨が不足してしまった場合には、バラ硬貨の出金処理が一時停止され、不足している金種のバラ硬貨を補充することを操作者に指示する旨の報知が画面表示や音声等により行われる。そして、操作者が出金箱を抜き取って出金済のバラ硬貨を出金箱から取り出した後、出納係等の所定の担当者を呼んでこの担当者が不足している金種のバラ硬貨を硬貨処理装置に補充すると、当該硬貨処理装置におけるバラ硬貨の出金処理が再開されるようになる。
【０００６】
しかしながら、上述したような従来のバラ硬貨の出金処理では、複数の金種のバラ硬貨について出金されるべきバラ硬貨が収納繰出部において不足する場合には、その都度バラ硬貨の出金処理が一時停止してしまい、また、その都度出納係等の所定の担当者を呼んでこの担当者が不足しているバラ硬貨の補充処理を行う必要があった。このため、バラ硬貨の出金処理にかかる時間が長くなってしまうとともに、操作者や出納係等の所定の担当者にとって面倒であるという問題があった。また、このような問題は、バラ硬貨の出金処理以外にも、包装硬貨の出金処理やバラ紙幣の出金処理、帯封紙幣の出金処理において生じうると考えられる。
【０００７】
本発明は、このような点を考慮してなされたものであり、貨幣の出金処理にかかる時間を短縮することができるとともに操作者や貨幣の補充を行う担当者等にとっての作業負担を軽減することができる貨幣処理装置および貨幣処理方法を提供することを目的とする。
【課題を解決するための手段】
【０００８】
本発明の貨幣処理装置は、貨幣を金種毎に収納するとともに収納されている貨幣を繰り出し可能な複数の収納繰出部（５２）と、各前記収納繰出部（５２）から貨幣を繰り出している際に当該収納繰出部（５２）から貨幣を繰り出すことができなくなる特定状態となったことを前記収納繰出部（５２）毎に検出する検出手段（２１０）と、各前記収納繰出部（５２）から繰り出された貨幣を出金するための出金部（９０）と、前記検出手段（２１０）により前記収納繰出部（５２）が前記特定状態となったことが検出された場合に当該検出手段（２１０）による検出情報を記憶する記憶部（２０６）と、貨幣の出金処理を行う際に、前記収納繰出部（５２）から貨幣を金種毎に繰り出させて前記出金部（９０）に送るよう各前記収納繰出部（５２）を制御し、出金されるべき貨幣のうち前記収納繰出部（５２）から繰り出し可能な貨幣が全て前記出金部（９０）に送られた後に、前記検出手段（２１０）による検出情報が前記記憶部（２０６）に記憶されている場合には、前記特定状態となった金種とは異なる金種の貨幣を収納する前記収納繰出部（５２）から貨幣を出金せずに前記収納繰出部（５２）が前記特定状態である旨の情報を出力する制御部（２００）と、
を備えたことを特徴とする。
【０００９】
このような貨幣処理装置によれば、貨幣の出金処理を行う際に、出金されるべき貨幣のうち収納繰出部から繰り出し可能な貨幣が全て出金部に送られた後に、検出手段による検出情報が記憶部に記憶されている場合には収納繰出部が特定状態である旨の情報を出力することにより、複数の金種の貨幣について出金されるべき貨幣が収納繰出部において不足してしまった場合でも、不足している金種の貨幣の補充等を最後にまとめて行うことができるようになるため、貨幣の出金処理にかかる時間を短縮することができるとともに操作者や貨幣の補充を行う担当者等にとっての作業負担を軽減することができる。
【００１０】
本発明の貨幣処理装置は、前記制御部により出力された情報を報知するための報知部を更に備えていてもよい。
【００１１】
本発明の貨幣処理装置においては、前記制御部は、前記検出手段によりある金種に係る前記収納繰出部が前記特定状態となったことが検出された場合に、自動で次の金種に係る前記収納繰出部から貨幣を繰り出させて前記出金部に送るよう各前記収納繰出部を制御するようになっていてもよい。
【００１２】
あるいは、前記制御部は、前記検出手段によりある金種に係る前記収納繰出部が前記特定状態となったことが検出された場合に、確認指令が前記制御部に入力されたことを条件として次の金種に係る前記収納繰出部から貨幣を繰り出させて前記出金部に送るよう各前記収納繰出部を制御するようになっていてもよい。
【００１４】
この場合、前記特定状態は、出金されるべき貨幣が前記収納繰出部において不足している状態のことであってもよい。
【００１５】
また、前記制御部は、出金されるべき貨幣のうち前記収納繰出部から繰り出し可能な貨幣が全て前記出金部に送られた後に、前記検出手段による検出情報が前記記憶部に記憶されている場合に、前記特定状態となっていることが前記検出手段により検出された前記収納繰出部に係る金種の貨幣の補充処理を行うことができるようになっていてもよい。
【００１６】
また、前記制御部は、出金されるべき貨幣のうち前記収納繰出部から繰り出し可能な貨幣が全て前記出金部に送られた後に、前記検出手段による検出情報が前記記憶部に記憶されている場合に、出金されるべき貨幣のうち前記出金部に送られなかった貨幣に関する情報を出力するようになっていてもよい。
【００１７】
また、前記特定状態は、前記収納繰出部において貨幣の詰まりが発生した状態のことであってもよい。
【００１８】
本発明の貨幣処理方法は、貨幣を金種毎に収納するとともに収納されている貨幣を繰り出し可能な複数の収納繰出部（５２）と、各前記収納繰出部（５２）から繰り出された貨幣を出金するための出金部（９０）とを備えた貨幣処理装置（１０）による貨幣処理方法であって、貨幣の出金処理を行う際に、前記収納繰出部（５２）から貨幣を金種毎に繰り出させて前記出金部（９０）に送る工程と、前記収納繰出部（５２）から貨幣を金種毎に繰り出させて前記出金部（９０）に送る際に当該収納繰出部（５２）から貨幣を繰り出すことができなくなる特定状態となったことを前記収納繰出部（５２）毎に検出する工程と、前記収納繰出部（５２）が前記特定状態となったことが検出された場合に検出情報を記憶部（２０６）に記憶させる工程と、出金されるべき貨幣のうち前記収納繰出部（５２）から繰り出し可能な貨幣が全て前記出金部（９０）に送られた後に、検出情報が前記記憶部（２０６）に記憶されている場合には、前記特定状態となった金種とは異なる金種の貨幣を収納する前記収納繰出部（５２）から貨幣を出金せずに前記収納繰出部（５２）が前記特定状態である旨の情報を出力する工程と、を備えたことを特徴とする。
【００１９】
このような貨幣処理方法によれば、貨幣の出金処理を行う際に、出金されるべき貨幣のうち収納繰出部から繰り出し可能な貨幣が全て出金部に送られた後に、検出情報が記憶部に記憶されている場合には収納繰出部が特定状態である旨の情報を出力することにより、複数の金種の貨幣について出金されるべき貨幣が収納繰出部において不足してしまった場合でも、不足している金種の貨幣の補充等を最後にまとめて行うことができるようになるため、貨幣の出金処理にかかる時間を短縮することができるとともに操作者や貨幣の補充を行う担当者等にとっての作業負担を軽減することができる。
【発明の効果】
【００２０】
本発明の貨幣処理装置および貨幣処理方法によれば、貨幣の出金処理にかかる時間を短縮することができるとともに操作者や貨幣の補充を行う担当者等にとっての作業負担を軽減することができる。
【図面の簡単な説明】
【００２１】
【図１】本発明の実施の形態による硬貨処理装置の外観を示す斜視図である。
【図２】図１に示す硬貨処理装置を正面側から見たときの内部構成を概略的に示す概略構成図である。
【図３】図１に示す硬貨処理装置を左側方から見たときの内部構成を概略的に示す概略構成図である。
【図４】図１に示す硬貨処理装置を右側方から見たときの内部構成を概略的に示す概略構成図である。
【図５】図１等に示す硬貨処理装置における入金繰出部および入金搬送部を上方から見たときの構成を示す構成図である。
【図６】図１等に示す硬貨処理装置における各構成部材間での硬貨の流れを示す説明図である。
【図７】図１等に示す硬貨処理装置における制御系の構成を示す機能ブロック図である。
【図８】図１等に示す硬貨処理装置においてバラ硬貨の出金処理が行われる際の動作を示すフローチャートである。
【図９】図１等に示す硬貨処理装置においてバラ硬貨の出金処理が行われる際の操作表示部の表示画面を示す図である。
【図１０】図１等に示す硬貨処理装置においてバラ硬貨の出金処理が行われる際の操作表示部の表示画面を示す図である。
【図１１】図１等に示す硬貨処理装置においてバラ硬貨の出金処理が行われる際に少なくとも１つの検出情報が記憶部に記憶されているときの操作表示部の表示画面を示す図である。
【図１２】図１等に示す硬貨処理装置においてバラ硬貨の割込装填処理が行われる際の操作表示部の表示画面を示す図である。
【図１３】図１等に示す硬貨処理装置においてバラ硬貨の割込装填処理が行われる際の操作表示部の表示画面を示す図である。
【図１４】図１等に示す硬貨処理装置においてバラ硬貨の割込装填処理が行われた後にバラ硬貨の出金処理が行われたときの操作表示部の表示画面を示す図である。
【図１５】変形例に係る硬貨処理装置を正面側から見たときの内部構成を概略的に示す概略構成図である。
【図１６】図１５に示す硬貨処理装置を左側方から見たときの内部構成を概略的に示す概略構成図である。
【図１７】図１５に示す硬貨処理装置を右側方から見たときの内部構成を概略的に示す概略構成図である。
【発明を実施するための形態】
【００２２】
以下、図面を参照して本発明の実施の形態について説明する。図１乃至図１４は、本実施の形態による硬貨処理装置およびこのような硬貨処理装置による硬貨処理方法を示す図である。このうち、図１は、本実施の形態による硬貨処理装置の外観を示す斜視図であり、図２乃至図４は、それぞれ、図１に示す硬貨処理装置を正面側、左側方、右側方から見たときの内部構成を概略的に示す概略構成図である。また、図５は、図１等に示す硬貨処理装置における入金繰出部および入金搬送部を上方から見たときの構成を示す構成図である。また、図６は、図１等に示す硬貨処理装置における各構成部材間での硬貨の流れを示す説明図である。また、図７は、図１等に示す硬貨処理装置における制御系の構成を示す機能ブロック図である。また、図８は、図１等に示す硬貨処理装置においてバラ硬貨の出金処理が行われる際の動作を示すフローチャートである。また、図９乃至図１４は、それぞれ、図１等に示す硬貨処理装置においてバラ硬貨の出金処理や割込装填処理が行われる際の操作表示部の表示画面を示す図である。なお、図４において包装部により形成された包装硬貨や包装硬貨収納部に収納されている包装硬貨、包装硬貨搬送部により搬送されている包装硬貨等を参照符合Ｗで示している。
【００２３】
本実施の形態による硬貨処理装置１０は、バラ硬貨の入金処理や出金処理を行うことができるとともに、機体内で所定枚数（例えば、５０枚）のバラ硬貨に紙やフィルム等の包装媒体を巻くことにより包装硬貨を形成したりこの形成された包装硬貨の出金処理を行ったりすることができるようになっている。このような硬貨処理装置１０の外観や内部構成の詳細について図１乃至図５を用いて説明する。
【００２４】
本実施の形態による硬貨処理装置１０は、略直方体形状の筐体１２と、筐体１２の上面に設けられた硬貨投入口２１に投入されたバラ硬貨を筐体１２の内部に繰り出す入金繰出部２０と、入金繰出部２０により繰り出されたバラ硬貨を搬送する入金搬送部２８と、入金搬送部２８により搬送されるバラ硬貨を識別する入金識別部２９とを備えている。また、入金搬送部２８には、入金識別部２９により正常な硬貨ではないと識別されたバラ硬貨や入金識別部２９により識別することができなかったバラ硬貨をリジェクト硬貨として選別するリジェクト選別部３０、入金識別部２９により特定の任意の金種の硬貨であると識別されたバラ硬貨を選別する任意選別部３４、および入金識別部２９により各々の金種の硬貨であると識別されたバラ硬貨を選別する複数の金種別選別部３６がそれぞれ設けられている。また、筐体１２の内部には、任意選別部３４や各金種別選別部３６により選別されたバラ硬貨を金種毎に一時的に保留する入金一時保留部４０、および入金一時保留部４０から送られたバラ硬貨を金種毎に収納するとともに収納されているバラ硬貨を繰り出すことができる複数の収納繰出部５２がそれぞれ設けられている。また、筐体１２の内部には、任意選別部３４により選別されたバラ硬貨を紙やフィルム等の包装媒体により包装することによって包装硬貨を形成する包装部６０、包装部６０により形成された包装媒体を収納する包装硬貨収納部１００および包装部６０により形成された包装媒体を筐体１２の内部で搬送する包装硬貨搬送部１１０がそれぞれ設けられている。このような硬貨処理装置１０の各構成部材の詳細について以下に説明する。
【００２５】
図２、図３および図５に示すように、入金繰出部２０は、筐体１２の上面に設けられた硬貨投入口２１に投入されたバラ硬貨を受け入れる供給円盤２２と、この供給円盤２２からバラ硬貨が適量ずつ供給される回転円盤２４と、回転円盤２４からバラ硬貨を１枚ずつ入金搬送部２８に繰り出す繰出機構２６とを有している。
【００２６】
図５に示すように、入金搬送部２８は、入金繰出部２０から繰り出されたバラ硬貨を搬送路に沿って搬送する搬送ベルトを有している。ここで、搬送ベルトとしては例えば入金搬送部２８の搬送路に沿って移動する丸ベルトが用いられるようになっており、入金繰出部２０から繰り出されたバラ硬貨は当該丸ベルトとの間で働く摩擦力により搬送路に沿って搬送されるようになっている。また、入金搬送部２８には、当該入金搬送部２８により搬送されるバラ硬貨の金種、真偽、正損、新旧、表裏、搬送状態等の識別を行う入金識別部２９が設けられている。入金識別部２９によるバラ硬貨の識別情報は後述する制御部２００に送られるようになっている。
【００２７】
また、図５に示すように、入金搬送部２８には、入金識別部２９により正常な硬貨ではないと識別されたバラ硬貨や入金識別部２９により識別することができなかったバラ硬貨をリジェクト硬貨として選別するリジェクト選別部３０が設けられている。また、図３に示すように、筐体１２の内部には、リジェクト選別部３０により選別されたリジェクト硬貨としてのバラ硬貨が集積される入金リジェクト部３８、およびリジェクト選別部３０から入金リジェクト部３８にリジェクト硬貨としてのバラ硬貨を送る入金リジェクト用シュート３１がそれぞれ設けられている。ここで、図１に示すように、操作者は筐体１２の前面から入金リジェクト部３８の内部にアクセス可能となっており、入金リジェクト部３８に送られたリジェクト硬貨としてのバラ硬貨を操作者は筐体１２の前面から取り出すことができるようになっている。
【００２８】
また、入金搬送部２８において、硬貨の搬送方向におけるリジェクト選別部３０の下流側には、入金識別部２９により特定の任意の金種の硬貨であると識別されたバラ硬貨を選別する任意選別部３４が設けられている。ここで、任意選別部３４により選別される特定の任意の金種の硬貨とは、例えばバラ硬貨の包装処理において包装部６０によって包装媒体により包装されることにより包装硬貨とされるべきバラ硬貨や、特定の金種の硬貨の計数処理において袋装着部に装着される貯留袋７５（図３において二点鎖線で表示）に送られるべきバラ硬貨のことをいう。
【００２９】
また、入金搬送部２８において、硬貨の搬送方向における任意選別部３４の更に下流側には、入金識別部２９により各々の金種の硬貨であると識別されたバラ硬貨を選別する複数の金種別選別部３６が設けられている。具体的には、複数の金種別選別部３６として、硬貨の搬送方向における上流側から順に、５円硬貨を選別する５円硬貨選別部３６ａ、１円硬貨を選別する１円硬貨選別部３６ｂ、５０円硬貨を選別する５０円硬貨選別部３６ｃ、１００円硬貨を選別する１００円硬貨選別部３６ｄ、１０円硬貨を選別する１０円硬貨選別部３６ｅおよび５００円硬貨を選別する５００円硬貨選別部３６ｆが設けられている。ここで、リジェクト選別部３０、任意選別部３４および５円硬貨選別部３６ａは、ソレノイド等の電気的駆動機構によって強制的にバラ硬貨を分岐孔に落とし込ませるような構成となっている。一方、１円硬貨選別部３６ｂ、５０円硬貨選別部３６ｃ、１００円硬貨選別部３６ｄおよび１０円硬貨選別部３６ｅは、小径硬貨から大径硬貨の順にバラ硬貨を径の大きさで選別して該当する分岐孔に落とし込ませるような構成となっている。また、５００円硬貨選別部３６ｆは、５円硬貨選別部３６ａ、１円硬貨選別部３６ｂ、５０円硬貨選別部３６ｃ、１００円硬貨選別部３６ｄおよび１０円硬貨選別部３６ｅの各分岐孔に落とし込まれなかったバラ硬貨を５００円硬貨として当該５００円硬貨選別部３６ｆに対応する分岐孔に落とし込ませるような構成となっている。
【００３０】
また、図２および図３に示すように、筐体１２の内部において入金搬送部２８の下方には入金一時保留部４０が設けられている。入金一時保留部４０は、任意選別部３４により選別されたバラ硬貨が一時的に保留される任意一時保留部４２と、各金種別選別部３６により選別されたバラ硬貨が金種別に一時的に保留される金種別一時保留部４４とを有している。ここで、任意一時保留部４２は、その上部および底部が開口した枠体から構成されている。また、金種別一時保留部４４は、５円、１円、５０円、１００円、１０円、５００円の各金種に対応する保留領域４４ａ、４４ｂ、４４ｃ、４４ｄ、４４ｅ、４４ｆに区画された、その上部および底部が開口した枠体から構成されている。また、任意一時保留部４２および金種別一時保留部４４は互いに連結されており、これらの任意一時保留部４２および金種別一時保留部４４は一体的に水平方向に移動するようになっている。また、任意一時保留部４２や金種別一時保留部４４の下方には板状の底部材４６が設けられており、これらの任意一時保留部４２や金種別一時保留部４４の枠体の底部に設けられた開口が底部材４６により選択的に閉止されるようになっている。また、図２および図３に示すように、入金一時保留部４０は、任意一時保留部４２および金種別一時保留部４４を水平方向（具体的には、図２における左右方向）に移動させる第１駆動機構４５と、底部材４６を水平方向（具体的には、図２における左右方向）に移動させる第２駆動機構４７とを有している。
【００３１】
また、図２および図３に示すように、筐体１２の内部において入金一時保留部４０の更に下方には、入金一時保留部４０から送られたバラ硬貨を筐体１２の外部に排出するための排出部５０、入金一時保留部４０から送られたバラ硬貨を金種毎に収納するとともに収納されているバラ硬貨を繰り出すことができる複数の収納繰出部５２、入金一時保留部４０の任意一時保留部４２から送られたバラ硬貨を包装部６０や後述する袋装着部に装着された貯留袋７５に送るシュート機構７０、および入金一時保留部４０の任意一時保留部４２から送られたバラ硬貨が収納されるバラ硬貨一括収納箱９８（図２や図３では図示せず）がそれぞれ設けられている。
【００３２】
入金一時保留部４０における金種別一時保留部４４は、各金種別選別部３６の分岐孔の真下かつ排出部５０の真上の位置である第１位置と、各収納繰出部５２の真上の位置である第２位置との間で図２における左右方向に移動可能となっている。また、底部材４６は、第１位置にある金種別一時保留部４４の底部の開口を塞ぐ第１位置と、第１位置にある金種別一時保留部４４の底部の開口を開く第２位置との間で図２における左右方向に移動可能となっている。また、本実施の形態による硬貨処理装置１０が待機状態にあるときには金種別一時保留部４４は第１位置に位置するとともに底部材４６も第１位置に位置するようになる。ここで、金種別一時保留部４４が第１位置に位置するとともに底部材４６が第１位置に位置しているときには、各金種別選別部３６の分岐孔に落とし込まれたバラ硬貨は金種別一時保留部４４の各保留領域４４ａ〜４４ｆに金種毎に一時的に保留されるようになる。そして、金種別一時保留部４４の各保留領域４４ａ〜４４ｆにバラ硬貨が一時的に保留されている状態から第１駆動機構４５により金種別一時保留部４４が第１位置から第２位置に移動させられると、金種別一時保留部４４の各保留領域４４ａ〜４４ｆの底部に設けられた開口が開くことにより各保留領域４４ａ〜４４ｆからバラ硬貨が自重により落下して各収納繰出部５２の収納領域５２ａ〜５２ｆ（後述）に金種毎に送られ、各収納繰出部５２の収納領域５２ａ〜５２ｆに金種毎に収納されるようになる。一方、金種別一時保留部４４の各保留領域４４ａ〜４４ｆにバラ硬貨が一時的に保留されている状態から第２駆動機構４７により底部材４６が第１位置から第２位置に移動させられると、金種別一時保留部４４の各保留領域４４ａ〜４４ｆの底部に設けられた開口が開くことにより各保留領域４４ａ〜４４ｆからバラ硬貨が自重により落下して排出部５０に送られ、この排出部５０に金種混合状態で集積されるようになる。
【００３３】
また、入金一時保留部４０における任意一時保留部４２は、第１駆動機構４５による当該任意一時保留部４２の移動方向（具体的には、図２における左右方向）に沿って並ぶ第１保留領域および第２保留領域に区画されたものから構成されている。そして、金種別一時保留部４４が第１位置に位置しているときには任意一時保留部４２の第１保留領域が任意選別部３４の分岐孔の真下に位置するとともに排出部５０の真上に位置するようになる。なお、このときに底部材４６が第１位置に位置しているときには任意一時保留部４２の第１保留領域の底部の開口が当該底部材４６により塞がれるようになり、任意選別部３４の分岐孔に落とし込まれたバラ硬貨は任意一時保留部４２の第１保留領域に一時的に保留されるようになる。また、金種別一時保留部４４が第２位置に位置しているときには任意一時保留部４２の第１保留領域がバラ硬貨一括収納箱９８の真上に位置するようになっている。そして、任意一時保留部４２の第１保留領域にバラ硬貨が一時的に保留されている状態から第１駆動機構４５により金種別一時保留部４４が第１位置から第２位置に移動させられると、任意一時保留部４２の第１保留領域の底部に設けられた開口が開くことによりこの第１保留領域からバラ硬貨が自重により落下してバラ硬貨一括収納箱９８に送られ、このバラ硬貨一括収納箱９８に収納されるようになる。一方、任意一時保留部４２の第１保留領域にバラ硬貨が一時的に保留されている状態から第２駆動機構４７により底部材４６が第１位置から第２位置に移動させられると、任意一時保留部４２の第１保留領域の底部に設けられた開口が開くことによりこの第１保留領域からバラ硬貨が自重により落下して排出部５０に送られ、当該排出部５０に集積されるようになる。また、第１駆動機構４５によって、入金一時保留部４０における任意一時保留部４２を、その第２保留領域が任意選別部３４の分岐孔の真下に位置するような第３位置に移動させることができるようになっている。ここで、任意一時保留部４２が第３位置に位置しているときには、任意選別部３４の分岐孔に落とし込まれたバラ硬貨は任意一時保留部４２の第２保留領域に送られた後、この第２保留領域を通過してシュート機構７０の上部シュート７２（後述）に送られるようになっている。
【００３４】
図３等に示すように、複数の収納繰出部５２の各々は、それぞれ、５円、１円、５０円、１００円、１０円、５００円の各金種に対応する収納領域５２ａ、５２ｂ、５２ｃ、５２ｄ、５２ｅ、５２ｆを有しており、これらの収納領域５２ａ〜５２ｆにバラ硬貨が金種別に収納されるようになっている。より詳細には、各収納繰出部５２の収納領域５２ａ〜５２ｆには、入金一時保留部４０の金種別一時保留部４４の各保留領域４４ａ〜４４ｆからバラ硬貨がそれぞれ送られるようになっている。また、各収納繰出部５２において収納領域５２ａ〜５２ｆの底部には回転円盤等の硬貨繰出部５２ｐがそれぞれ設けられており、各硬貨繰出部５２ｐにより各収納繰出部５２の収納領域５２ａ〜５２ｆからバラ硬貨が１枚ずつ繰り出されるようになっている。また、各収納繰出部５２の下方には水平方向に延びるコンベア５４が設けられており、各硬貨繰出部５２ｐにより各収納繰出部５２の収納領域５２ａ〜５２ｆから繰り出されたバラ硬貨はコンベア５４により搬送されるようになっている。ここで、コンベア５４には、当該コンベア５４により搬送されるバラ硬貨の金種、真偽、正損、新旧、表裏、搬送状態等の識別を行う出金識別部５５が設けられている。出金識別部５５によるバラ硬貨の識別情報は後述する制御部２００に送られるようになっている。また、出金識別部５５により識別されたバラ硬貨はコンベア５４により出金用シュート５８を介して出金箱９０に送られるか、あるいは包装用シュート５７を介して包装部６０に送られるようになっている。
【００３５】
排出部５０は、筐体１２の前面から操作者が手前側に引き出し可能な返却箱５０ａを有しており、入金一時保留部４０における任意一時保留部４２の第１保留領域や金種別一時保留部４４の各保留領域４４ａ〜４４ｆから送られたバラ硬貨が金種混合状態で集積されるようになっている。
【００３６】
バラ硬貨一括収納箱９８は、筐体１２の前面から操作者が手前側に引き出し可能となっており、入金一時保留部４０における任意一時保留部４２の第１保留領域から送られたバラ硬貨が集積されるようになっている。
【００３７】
図３に示すように、シュート機構７０は、入金一時保留部４０における任意一時保留部４２の第２保留領域から送られたバラ硬貨が通過する上部シュート７２と、この上部シュート７２から分岐した貯留用シュート７４および包装用シュート７６とを有しており、上部シュート７２から貯留用シュート７４や包装用シュート７６への分岐箇所には分岐部材７８が設けられている。ここで、上部シュート７２から分岐部材７８により包装用シュート７６に分岐させられたバラ硬貨は包装部６０に送られるようになっている。一方、図１に示すように、貯留用シュート７４の下流側端部に位置する排出側開口７４ａは筐体１２の前面に開口するようになっており、この排出側開口７４ａの近傍には、図３において二点鎖線で示すような貯留袋７５を筐体１２の側面に装着させる袋装着部（図示せず）が設けられている。そして、袋装着部に貯留袋７５が装着されているときには、上部シュート７２から分岐部材７８により貯留用シュート７４に分岐させられたバラ硬貨は排出側開口７４ａから貯留袋７５に送られてこの貯留袋７５に貯留されるようになる。
【００３８】
出金箱９０は、筐体１２の前面から操作者が手前側に引き出し可能となっており、本実施の形態による硬貨処理装置１０においてバラ硬貨の出金処理が行われる際に、各収納繰出部５２の収納領域５２ａ〜５２ｆから繰り出されたバラ硬貨がコンベア５４により出金用シュート５８を介して出金箱９０に送られるようになっている。また、出金箱９０には、操作者が当該出金箱９０を筐体１２の前面から手前側に引き出す際に把持される取っ手９０ａが設けられており、このような取っ手９０ａを操作者が把持することにより出金箱９０を筐体１２から容易に引き出すことができるようになっている。また、出金箱９０には図示しないロック機構が設けられており、このロック機構により出金箱９０は筐体１２の内部にロックされるようになっている。一方、ロック機構によるロックが解除されると、操作者は出金箱９０を筐体１２の前面から手前側に引き出すことができるようになる。また、図２に示すように、出金箱９０の底部には開口が設けられているとともに、この開口はシャッタ部材９２により選択的に閉じられるようになっている。また、筐体１２の下部には、出金リジェクト箱５６と、出金箱９０の底部に設けられた開口から出金リジェクト箱５６にバラ硬貨を送る出金リジェクト用シュート９４がそれぞれ設けられている。そして、本実施の形態による硬貨処理装置１０においてバラ硬貨の出金処理が行われる際に、出金されるべきバラ硬貨の金種とは異なる金種のバラ硬貨が収納繰出部５２の各収納領域５２ａ〜５２ｆから繰り出されて出金箱９０に送られたり、収納繰出部５２の各収納領域５２ａ〜５２ｆからのバラ硬貨の繰り出しエラーによって各収納領域５２ａ〜５２ｆから繰り出されたバラ硬貨の枚数が不確定となってしまったりした場合には、出金箱９０の底部に設けられた開口がシャッタ部材９２により開かれ、出金箱９０に送られたバラ硬貨はこの出金箱９０から出金リジェクト用シュート９４を介して出金リジェクト箱５６に送られるようになる。
【００３９】
包装部６０は、シュート機構７０の包装用シュート７６や包装用シュート５７により当該包装部６０に送られたバラ硬貨が集積されるとともに集積されたバラ硬貨を１枚ずつ繰り出す集積部としての回転円盤６２と、回転円盤６２により繰り出されたバラ硬貨を搬送するコンベア６３と、コンベア６３により搬送されたバラ硬貨が積層状態で集積されるとともに集積された所定の枚数（例えば、５０枚）のバラ硬貨を紙やフィルム等の包装媒体により包装する包装機構６８とを有している。ここで、包装機構６８は上方から見て仮想の正三角形の各頂点に位置する３本の包装ローラ６８ａを有しており、各包装ローラ６８ａの間の包装領域において所定枚数重積した重積硬貨が包装媒体により包装されて包装硬貨が形成されるようになっている。図４に示すように、包装機構６８により形成された包装硬貨はこの包装機構６８から下方に排出されるようになっている。また、包装機構６８の下方には包装硬貨用シュート６５および横搬送部６７が設けられており、包装機構６８により形成された包装硬貨が当該包装機構６８から下方に排出されると、この排出された包装硬貨は包装硬貨用シュート６５を通って横搬送部６７に送られ、この横搬送部６７により包装硬貨搬送部１１０に向かって搬送されるようになる。また、横搬送部６７と包装硬貨搬送部１１０との間には、横搬送部６７から包装硬貨搬送部１１０への包装硬貨の放出と放出規制とを切り換える切換部材６９が設けられている。
【００４０】
また、図２等に示すように、包装部６０においてコンベア６３の下方には排出シュート６４が設けられており、包装機構６８により所定の枚数（例えば、５０枚）のバラ硬貨を包装する際に所定の枚数に満たない端数分のバラ硬貨はコンベア６３から排出シュート６４に送られてこの排出シュート６４により出金リジェクト箱５６に送られるようになっている。また、出金リジェクト箱５６の近傍には、端数分のバラ硬貨を収納する端数硬貨収納箱９７が設けられているとともに、この出金リジェクト箱５６には、排出シュート６４から送られた端数分のバラ硬貨を出金リジェクト箱５６および端数硬貨収納箱９７の何れかに分岐させる分岐部材９６が設けられている。このような分岐部材９６が設けられていることにより、コンベア６３から排出シュート６４に送られた端数分のバラ硬貨を出金リジェクト箱５６および端数硬貨収納箱９７のうち何れかに収納させることができるようになる。
【００４１】
図４に示すように、包装硬貨搬送部１１０は、筐体１２の内部における上部および下部にそれぞれ設けられた２つのプーリ１１２と、これらの２つのプーリ１１２に掛け渡された無端状の循環ベルト１１４と、２つのプーリ１１２のうち一方のプーリ１１２を回転駆動させることにより循環ベルト１１４を図４における反時計回りの方向に循環移動させる駆動モータ（図示せず）とを有している。また、図４に示すように、循環ベルト１１４には、包装硬貨搬送部１１０により搬送されるべき包装硬貨が引っ掛けられる突起１１６が等間隔で複数設けられている。ここで、各突起１１６は、当該突起１１６と包装硬貨とが接する面が循環ベルト１１４の延びる方向（すなわち、図４における上下方向）に対して所定の角度（例えば、６０°）をなして傾斜する方向に当該循環ベルト１１４から突出して形成されている。このように各突起１１６が循環ベルト１１４の延びる方向に対して傾斜していることにより、突起１１６に引っ掛けられた包装硬貨はその自重により突起１１６上で循環ベルト１１４側に寄せられるようになる。そして、循環ベルト１１４が図４における反時計回りの方向に循環移動すると、包装硬貨は突起１１６に引っ掛けられた状態で（すなわち、突起１１６上で循環ベルト１１４側に寄せられた状態で）循環ベルト１１４の移動に合わせて図４における反時計回りの方向に沿って搬送されるようになる。また、本実施の形態では、循環ベルト１１４は、所定量だけ移動すると所定時間だけ停止し、その後再び所定量だけ移動するような動作が繰り返し行われる間欠移動を行うよう、駆動モータにより駆動させられるようになっている。
【００４２】
また、図４に示すように、筐体１２の内部において包装硬貨搬送部１１０の近傍には、包装硬貨の収納を行う包装硬貨収納部１００が設けられている。ここで、包装硬貨収納部１００は、同一金種の複数の包装硬貨を一列に収納する複数（図４に示す例では６つ）の収納トレイ１０２を有しており、各収納トレイ１０２には包装硬貨が金種別に収納されるようになっている。ここで、各収納トレイ１０２は水平方向に対して傾斜しており、収納トレイ１０２に収納されている包装硬貨は、包装硬貨搬送部１１０に近い側である収納トレイ１０２の最前部に向かって転がるようになっている。また、各収納トレイ１０２は鉛直方向に沿って並ぶよう配置されている。また、各収納トレイ１０２は、図４に示す位置から包装硬貨搬送部１１０に向かって（すなわち、図４における左方向に）移動可能となっており、各収納トレイ１０２が包装硬貨搬送部１１０における循環ベルト１１４の近傍の位置まで進出したときに、各収納トレイ１０２に収納されている包装硬貨が循環ベルト１１４の突起１１６に１つずつ受け渡されるようになる。また、各収納トレイ１０２の前端部分（すなわち、図４における左端部分）と、包装硬貨搬送部１１０との間には、各収納トレイ１０２に対応して複数のストッパ部分１０４ａが設けられたストッパ機構１０４が上下方向に移動可能に配置されている。このストッパ機構１０４が下降位置にあるときには、包装硬貨搬送部１１０に向かって進出した収納トレイ１０２の最前部の包装硬貨にストッパ部分１０４ａが接触してこの最前部の包装硬貨が循環ベルト１１４の突起１１６に受け渡されないようになる。この場合には、循環ベルト１１４により搬送される包装硬貨が突起１１６から収納トレイ１０２の最前部に受け渡され、この収納トレイ１０２に収納されるようになる。一方、ストッパ機構１０４が上昇位置にあるときには、包装硬貨搬送部１１０に向かって進出した収納トレイ１０２の最前部の包装硬貨にストッパ部分１０４ａが接触せず、この最前部の包装硬貨が循環ベルト１１４の突起１１６に受け渡されるようになる。
【００４３】
また、筐体１２の前面において包装硬貨搬送部１１０の前部域には、包装硬貨出金部１３０、包装硬貨一括収納箱１３２および包装硬貨投出部１３６がそれぞれ設けられている。また、包装硬貨出金部１３０および包装硬貨一括収納箱１３２の各々に対応して、包装硬貨搬送部１１０の循環ベルト１１４により搬送される包装硬貨を選択的に包装硬貨出金部１３０および包装硬貨一括収納箱１３２にそれぞれ分岐させる分岐部材１１８、１１９が設けられている。ここで、図１に示すように、操作者は筐体１２の前面から包装硬貨出金部１３０にアクセス可能となっており、包装硬貨出金部１３０に送られた包装硬貨を操作者は筐体１２の外部に取り出すことができるようになっている。また、図３に示すように、包装部６０により形成された包装硬貨を包装硬貨投出部１３６に送る包装硬貨投出用シュート１３４が筐体１２の内部に設けられており、包装部６０により形成された包装硬貨は包装硬貨投出用シュート１３４を介して包装硬貨投出部１３６に直接送られるようになっている。また、図１に示すように、操作者は筐体１２の前面から包装硬貨投出部１３６にアクセス可能となっており、包装部６０から包装硬貨投出部１３６に直接送られた包装硬貨を操作者は筐体１２の外部に取り出すことができるようになっている。
【００４４】
また、図７に示すように、本実施の形態による硬貨処理装置１０には、当該硬貨処理装置１０の各構成部材の制御を行う制御部２００が設けられている。具体的には、制御部２００には、入金繰出部２０、入金搬送部２８、入金識別部２９、リジェクト選別部３０、任意選別部３４、各金種別選別部３６、入金一時保留部４０、各収納繰出部５２、コンベア５４、出金識別部５５、包装部６０、分岐部材７８、分岐部材９６、包装硬貨収納部１００、包装硬貨搬送部１１０、分岐部材１１８、１１９等がそれぞれ接続されている。ここで、入金識別部２９や出金識別部５５によるバラ硬貨の識別情報はこれらの入金識別部２９や出金識別部５５から制御部２００に送られるようになっている。また、制御部２００は、硬貨処理装置１０の各構成部材に指令の信号を送ることによりこれらの構成部材の動作を制御するようになっている。
【００４５】
また、制御部２００には操作表示部２０２、印字部２０４、記憶部２０６および通信インターフェース部２０８がそれぞれ接続されている。操作表示部２０２は、例えば筐体１２の上部に設けられたタッチパネル等からなり、硬貨処理装置１０における硬貨の処理状況や、各収納繰出部５２の収納領域５２ａ〜５２ｆに収納されているバラ硬貨の金種毎の在高および包装硬貨収納部１００の各収納トレイ１０２に収納されている包装硬貨の金種毎の在高等の情報を表示するようになっている。また、操作者はこの操作表示部２０２により制御部２００に様々な指令を入力することができるようになっている。また、印字部２０４は、硬貨処理装置１０における硬貨の処理状況や、各収納繰出部５２の収納領域５２ａ〜５２ｆに収納されているバラ硬貨の金種毎の在高および包装硬貨収納部１００の各収納トレイ１０２に収納されている包装硬貨の金種毎の在高等の情報をレシート等に印刷するプリンタ等から構成されている。また、記憶部２０６は、硬貨処理装置１０における硬貨の処理履歴や、各収納繰出部５２の収納領域５２ａ〜５２ｆに収納されているバラ硬貨の金種毎の在高および包装硬貨収納部１００の各収納トレイ１０２に収納されている包装硬貨の金種毎の在高等の情報を記憶するようになっている。また、制御部２００は通信インターフェース部２０８を介して上位端末等の外部装置に対して様々な信号の送受信を行うことができるようになっている。
【００４６】
また、制御部２００には、各収納繰出部５２が特定状態となったことを収納繰出部５２毎に検出する特定状態検出手段２１０が接続されている。ここで、特定状態検出手段２１０により検出されるべき特定状態は、収納繰出部５２からバラ硬貨を繰り出すことができない状態のことをいう。具体的には、特定状態検出手段２１０により検出されるべき特定状態は、出金されるべきバラ硬貨が収納繰出部５２において不足している状態や、収納繰出部５２の硬貨繰出部５２ｐ等においてバラ硬貨の詰まりが発生した状態のことをいう。また、特定状態検出手段２１０により収納繰出部５２が特定状態となったことが検出された場合には当該特定状態検出手段２１０による検出情報が記憶部２０６に記憶されるようになっている。また、制御部２００は、バラ硬貨の出金処理を行う際に、出金されるべきバラ硬貨のうち収納繰出部５２から繰り出し可能なバラ硬貨が全て出金箱９０に送られた後に、特定状態検出手段２１０による検出情報が記憶部２０６に記憶されている場合には収納繰出部５２が特定状態である旨の情報を出力するようになっている。このような特定状態検出手段２１０に関する動作の詳細については後述する。
【００４７】
次に、このような構成からなる硬貨処理装置１０の動作（とりわけ、硬貨処理装置１０におけるバラ硬貨の出金処理に係る動作）について図８に示すフローチャートおよび図９乃至図１４に示す操作表示部２０２の表示画面を用いて説明する。なお、以下に示すような硬貨処理装置１０の動作は、制御部２００が硬貨処理装置１０の各構成部材を制御することにより行われるようになっている。
【００４８】
本実施の形態による硬貨処理装置１０では、各収納繰出部５２に収納されているバラ硬貨の在高に係る情報（具体的には、例えば各収納繰出部５２に収納されているバラ硬貨の金種毎の枚数等の情報）が記憶部２０６に記憶されている。また、操作者によって操作表示部２０２によりバラ硬貨の出金処理開始の指令が入力されたり、上位端末等の外部装置から通信インターフェース部２０８を介してバラ硬貨の出金処理開始の指令が制御部２００に送信されたりすると、制御部２００において出金処理開始の指令が受け付けられるようになる（ＳＴＥＰ１）。なお、この際に、図９に示すように、操作者は操作表示部２０２により出金されるべきバラ硬貨の金種毎の枚数を入力するようになる。図９に示す例では、出金されるべきバラ硬貨の金種毎の枚数として、５枚の５００円硬貨、５枚の１００円硬貨、５枚の５０円硬貨、５枚の１０円硬貨、５枚の５円硬貨、５枚の１円硬貨が入力されている。なお、操作者が操作表示部２０２により出金されるべきバラ硬貨の金種毎の枚数を入力する代わりに、上位端末等の外部装置から通信インターフェース部２０８を介して制御部２００に出金されるべきバラ硬貨の金種毎の枚数に係る情報が送信されるようになっていてもよい。
【００４９】
制御部２００において出金処理開始の指令が受け付けられると、当該制御部２００において、記憶部２０６に記憶されている各収納繰出部５２におけるバラ硬貨の在高に係る情報に基づいて、出金されるべきバラ硬貨が各収納繰出部５２において不足している状態であるか否かが判断される（ＳＴＥＰ２）。ここで、記憶部２０６に記憶されている各収納繰出部５２におけるバラ硬貨の在高に係る情報に基づいて、出金されるべきバラ硬貨の全ての金種について収納繰出部５２に収納されているバラ硬貨の枚数が出金されるべきバラ硬貨の枚数以上であると制御部２００により判断された場合には（ＳＴＥＰ２の「ＮＯ」）、出金されるべきバラ硬貨の金種毎に収納繰出部５２からバラ硬貨を繰り出して出金箱９０に送るような動作が行われる（ＳＴＥＰ５）。具体的には、収納繰出部５２の各収納領域５２ａ〜５２ｆに収納されているバラ硬貨のうち出金されるべきバラ硬貨が回転円盤等の硬貨繰出部５２ｐにより１枚ずつ各収納領域５２ａ〜５２ｆから繰り出される。そして、収納繰出部５２の各収納領域５２ａ〜５２ｆから繰り出されたバラ硬貨はコンベア５４により出金用シュート５８に送られ、出金用シュート５８に送られたバラ硬貨は自重により落下して出金箱９０に送られてこの出金箱９０に収納されるようになる。また、バラ硬貨の出金処理が行われる際に収納繰出部５２の各収納領域５２ａ〜５２ｆから繰り出されるバラ硬貨の金種の順番は予め設定されている。具体的には、例えば、５円硬貨、１円硬貨、５０円硬貨、１００円硬貨、１０円硬貨、５００円硬貨の順に収納繰出部５２の各収納領域５２ａ〜５２ｆからバラ硬貨が繰り出されるようになっている。
【００５０】
一方、制御部２００において出金処理開始の指令が受け付けられたときに（ＳＴＥＰ１）、記憶部２０６に記憶されている各収納繰出部５２におけるバラ硬貨の在高に係る情報に基づいて、出金されるべきバラ硬貨の各金種のうち少なくとも１つの金種について収納繰出部５２に収納されているバラ硬貨の枚数が出金されるべきバラ硬貨の枚数よりも少ない場合には、制御部２００において出金されるべきバラ硬貨が各収納繰出部５２において不足している状態であると判断される（ＳＴＥＰ２の「ＹＥＳ」）。この場合には、バラ硬貨の割込装填処理等を促す旨のメッセージが操作表示部２０２に表示されるようになる（ＳＴＥＰ３）。ここで、バラ硬貨の割込装填処理の詳細については後述する。そして、不足している金種のバラ硬貨について割込装填処理（すなわち、不足している金種のバラ硬貨を硬貨投入口２１に投入することによって各収納繰出部５２にバラ硬貨を補充する処理）が行われると（ＳＴＥＰ４のＹＥＳ）、出金されるべきバラ硬貨の金種毎に収納繰出部５２からバラ硬貨を繰り出して出金箱９０に送るような動作が行われる（ＳＴＥＰ５）。
【００５１】
また、出金されるべきバラ硬貨の金種毎に収納繰出部５２からバラ硬貨を繰り出して出金箱９０に送るような動作が行われる際に（ＳＴＥＰ５）、出金されるべきバラ硬貨が収納繰出部５２において不足していることが特定状態検出手段２１０により検出された場合には（ＳＴＥＰ６の「ＹＥＳ」）、制御部２００は特定状態検出手段２１０による検出情報を記憶部２０６に記憶させる（ＳＴＥＰ７）。ここで、記憶部２０６に記憶されている各収納繰出部５２におけるバラ硬貨の在高と、実際に各収納繰出部５２に収納されているバラ硬貨の枚数とが異なる場合がある。このため、記憶部２０６に記憶されている各収納繰出部５２におけるバラ硬貨の在高に係る情報に基づいて、出金されるべきバラ硬貨の全ての金種について収納繰出部５２に収納されているバラ硬貨の枚数が出金されるべきバラ硬貨の枚数以上であると制御部２００により判断された場合でも、実際に出金されるべきバラ硬貨が各収納繰出部５２から繰り出される際に収納繰出部５２において出金されるべきバラ硬貨が不足してしまうことがある。このようなときには、出金されるべきバラ硬貨が収納繰出部５２において不足していることが特定状態検出手段２１０により検出されるようになる。
【００５２】
また、制御部２００は、特定状態検出手段２１０によりある金種に係る収納繰出部５２が特定状態となったことが検出された場合に、自動で次の金種に係る収納繰出部５２からバラ硬貨を繰り出させて出金箱９０に送るよう各収納繰出部５２を制御するようになっている。なお、このような動作が行われる代わりに、制御部２００は、特定状態検出手段２１０によりある金種に係る収納繰出部５２が特定状態となったことが検出された場合に、確認指令が当該制御部２００に入力されたことを条件として次の金種に係る収納繰出部５２からバラ硬貨を繰り出させて出金箱９０に送るよう各収納繰出部５２を制御するようになっていてもよい。具体的には、出金されるべきバラ硬貨が収納繰出部５２において不足していることが特定状態検出手段２１０により検出された場合には、各収納繰出部５２からのバラ硬貨の繰り出し動作が中断されるとともに操作表示部２０２には図１０に示すような画面が表示されるようになる。そして、操作者が操作表示部２０２の表示画面における「スキップ」ボタンを押下すると、次の金種に係る収納繰出部５２からバラ硬貨が繰り出されて出金箱９０に送られるようになる。
【００５３】
また、出金されるべきバラ硬貨の金種毎に収納繰出部５２からバラ硬貨を繰り出して出金箱９０に送るような動作が行われる際に、ある金種について収納繰出部５２からバラ硬貨を繰り出して出金箱９０に送るような動作が行われた後、出金されるべき硬貨について他の金種がある場合には（ＳＴＥＰ８の「ＹＥＳ」）、図８のフローチャートにおけるＳＴＥＰ５〜ＳＴＥＰ７に示す動作が他の金種のバラ硬貨について引き続き行われるようになる。
【００５４】
上述したような、出金されるべきバラ硬貨の金種毎に収納繰出部５２からバラ硬貨を繰り出して出金箱９０に送るような動作について具体的に説明すると、出金されるべきバラ硬貨の金種毎の枚数として、例えば、５枚の５００円硬貨、５枚の１００円硬貨、５枚の５０円硬貨、５枚の１０円硬貨、５枚の５円硬貨、５枚の１円硬貨が入力されたときに（図９参照）、実際に各収納繰出部５２に収納されているバラ硬貨の金種毎の枚数が例えば５０円硬貨５枚、１円硬貨２枚、５０円硬貨２枚、１００円硬貨５枚、１０円硬貨２枚、５００円硬貨５枚である場合には、まず５０円硬貨に対応する収納繰出部５２から５０円硬貨が５枚繰り出されて出金箱９０に送られるが、次に収納繰出部５２から繰り出されるべき金種である１円硬貨について当該１円硬貨に対応する収納繰出部５２における１円硬貨の収納枚数が２枚であり出金すべき枚数（すなわち、５枚）よりも少ないため、１円硬貨に対応する収納繰出部５２から１円硬貨が２枚繰り出されて出金箱９０に送られるとともに１円硬貨が３枚不足していることが特定状態検出手段２１０により検出され、この特定状態検出手段２１０による検出情報が記憶部２０６に記憶されるようになる。そして、上述したように、自動で次の金種に係る収納繰出部５２からバラ硬貨が繰り出されて出金箱９０に送られるか、あるいは各収納繰出部５２からのバラ硬貨の繰り出し動作が中断されるとともに操作表示部２０２に図１０に示すような画面が表示される。後者の場合には、操作者によって操作表示部２０２の表示画面における「スキップ」ボタンが押下されることにより次の金種に係る収納繰出部５２からバラ硬貨が繰り出されて出金箱９０に送られるようになる。
【００５５】
また、その次に収納繰出部５２から繰り出されるべき金種である５０円硬貨について当該５０円硬貨に対応する収納繰出部５２における５０円硬貨の収納枚数も２枚であり出金すべき枚数（すなわち、５枚）よりも少ないため、５０円硬貨に対応する収納繰出部５２から５０円硬貨が２枚繰り出されて出金箱９０に送られるとともに５０円硬貨が３枚不足していることが特定状態検出手段２１０により検出され、この特定状態検出手段２１０による検出情報が記憶部２０６に記憶されるようになる。その後、１００円硬貨に対応する収納繰出部５２から１００円硬貨が５枚繰り出されて出金箱９０に送られる。
【００５６】
また、その次に収納繰出部５２から繰り出されるべき金種である１０円硬貨について当該１０円硬貨に対応する収納繰出部５２における１０円硬貨の収納枚数が２枚であり出金すべき枚数（すなわち、５枚）よりも少ないため、１０円硬貨に対応する収納繰出部５２から１０円硬貨が２枚繰り出されて出金箱９０に送られるとともに１０円硬貨が３枚不足していることが特定状態検出手段２１０により検出され、この特定状態検出手段２１０による検出情報が記憶部２０６に記憶されるようになる。その後、５００円硬貨に対応する収納繰出部５２から５００円硬貨が５枚繰り出されて出金箱９０に送られる。
【００５７】
出金されるべきバラ硬貨の全ての金種について収納繰出部５２からバラ硬貨を繰り出して出金箱９０に送ることにより、出金されるべき硬貨について他の金種がなくなった場合には（ＳＴＥＰ８の「ＮＯ」）、特定状態検出手段２１０による検出情報が記憶部２０６に記憶されているか否かの判断が制御部２００により行われる（ＳＴＥＰ９）。ここで、出金されるべきバラ硬貨の全ての金種について特定状態検出手段２１０による検出情報が記憶部２０６に記憶されていないと制御部２００により判断された場合には（ＳＴＥＰ９の「ＮＯ」）、すなわち出金されるべきバラ硬貨の全ての金種に係る収納繰出部５２について特定状態検出手段２１０により特定状態が検出されなかった場合には、出金箱９０を筐体１２の内部にロックするためのロック機構による出金箱９０のロックが解除され（ＳＴＥＰ１２）、操作者は出金箱９０を筐体１２の前面から手前側に引き出すことができるようになる。また、出金されるべき全ての金種のバラ硬貨が出金箱９０に送られると操作表示部２０２には図１４に示すような出金箱９０からバラ硬貨を取り出すことを促す画面が表示されるようになる。このようにして、操作者は出金箱９０を筐体１２の前面から手前側に引き出した後、出金硬貨を出金箱９０から取り出すことができるようになる。また、ロック機構による出金箱９０のロックが解除されると、出金情報（具体的には、出金されたバラ硬貨の金種毎の枚数や合計金額、取引日時、等）が印字部２０４によりレシートに印字されるようになる（ＳＴＥＰ１３）。一方、出金されるべきバラ硬貨の金種とは異なる金種のバラ硬貨が収納繰出部５２の各収納領域５２ａ〜５２ｆから繰り出されて出金箱９０に送られたり、収納繰出部５２の各収納領域５２ａ〜５２ｆからのバラ硬貨の繰り出しエラーによって各収納領域５２ａ〜５２ｆから繰り出されたバラ硬貨の枚数が不確定となってしまったりした場合には、出金箱９０の底部に設けられた開口がシャッタ部材９２により開かれ、出金箱９０に送られたバラ硬貨はこの出金箱９０から出金リジェクト用シュート９４を介して出金リジェクト箱５６に送られ、一連の出金動作が再実行されるようになる。
【００５８】
また、出金されるべきバラ硬貨の少なくとも１つの金種について特定状態検出手段２１０による検出情報が記憶部２０６に記憶されていると制御部２００により判断された場合には（ＳＴＥＰ９の「ＹＥＳ」）、制御部２００は、特定状態となっていることが特定状態検出手段２１０により検出された収納繰出部５２に係る金種のバラ硬貨の割込装填処理（言い換えると、バラ硬貨の補充処理）を行うことができるようになっている。また、この場合には、制御部２００は、出金されるべきバラ硬貨のうち出金箱９０に送られなかったバラ硬貨に関する情報を出力するようになっている。より詳細には、不足している金種のバラ硬貨に係る情報（具体的には、５０円硬貨が３枚、１０円硬貨が３枚、１円硬貨が３枚それぞれ不足しているという情報）が制御部２００から出力され、図１１に示すように、制御部２００により出力された情報が操作表示部２０２に表示されるとともに、バラ硬貨の割込装填処理等を促す旨のメッセージが操作表示部２０２に表示されるようになる（ＳＴＥＰ１０）。図１１に示すような画面が操作表示部２０２に表示されると、操作者はまず出納係等の所定の担当者を呼ぶ。なお、出納係等の所定の担当者がバラ硬貨の出金処理を行っている場合には、この担当者が引き続き以下に示すような割込装填処理を行うようになる。そして、図１１に示す画面において所定の担当者が「割込装填」のボタンを押下すると、この担当者は不足している金種のバラ硬貨を硬貨投入口２１に投入することによって各収納繰出部５２にバラ硬貨を補充するような割込装填処理を行うことができるようになる。具体的には、図１２に示すように不足している金種のバラ硬貨を硬貨投入口２１に投入することを所定の担当者に促すような画面が操作表示部２０２に表示されるようになる。そして、不足している金種のバラ硬貨が硬貨投入口２１に投入されると、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、正損、新旧、表裏、搬送状態等の識別が行われる。そして、入金識別部２９により正常な硬貨であると識別されたバラ硬貨は各金種別選別部３６により金種毎に選別され、各金種別選別部３６の分岐孔に送り込まれたバラ硬貨は入金一時保留部４０における金種別一時保留部４４の各保留領域４４ａ〜４４ｆに金種別に一時的に保留されるようになる。そして、硬貨投入口２１に投入されたバラ硬貨が全て金種別一時保留部４４に送られると、入金一時保留部４０において金種別一時保留部４４が自動で第１駆動機構４５により第１位置から第２位置に移動させられ、金種別一時保留部４４の各保留領域４４ａ〜４４ｆの底部に設けられた開口が開くことにより各保留領域４４ａ〜４４ｆからバラ硬貨が自重により落下して各収納繰出部５２の収納領域５２ａ〜５２ｆに金種毎に送られ、各収納繰出部５２の収納領域５２ａ〜５２ｆに金種毎に収納されるようになる。このようにして、不足している金種のバラ硬貨が各収納繰出部５２の収納領域５２ａ〜５２ｆに補充される。なお、このような動作が行われている間は操作表示部２０２において図１３に示すような画面が表示されるようになる。そして、不足している金種のバラ硬貨について割込装填処理が行われると（ＳＴＥＰ１１の「ＹＥＳ」）、出金されるべきバラ硬貨の金種毎に収納繰出部５２からバラ硬貨を繰り出して出金箱９０に送るような動作が引き続き行われるようになる（ＳＴＥＰ５）。その後、出金されるべき全ての金種のバラ硬貨が出金箱９０に送られると操作表示部２０２には図１４に示すような出金箱９０からバラ硬貨を取り出すことを促す画面が表示されるようになる。
【００５９】
なお、出金されるべきバラ硬貨の少なくとも１つの金種について特定状態検出手段２１０による検出情報が記憶部２０６に記憶されていると制御部２００により判断された場合に、出納係等の所定の担当者を呼ぶことを操作者に促す旨のメッセージ（例えば、「払い出せない貨幣があります。出納係をお呼びください」というメッセージ）が操作表示部２０２に表示されるようになっていてもよい。また、所定の担当者に対して所定の端末（例えば、携帯電話やスマートフォン等）が予め割り当てられており、出金されるべきバラ硬貨の少なくとも１つの金種について特定状態検出手段２１０による検出情報が記憶部２０６に記憶されていると制御部２００により判断された場合に、所定の担当者が所持する所定の端末にこの情報が送信され、当該端末により所定の担当者に対して割込装填処理を行うことを促す旨の報知が行われるようになっていてもよい。この際に、不足している金種のバラ硬貨に係る情報も当該端末に送信されるようになっていてもよい。
【００６０】
また、図１１に示すような表示画面が操作表示部２０２に表示されているときに、「割込装填」ボタンではなく「出金」ボタンが操作者により押下されると、各収納繰出部５２に収納されているバラ硬貨のうち出金可能な金種のバラ硬貨を当該収納繰出部５２から繰り出させて出金箱９０に送るような動作が行われるようになる。この場合には、不足分のバラ硬貨については、出納係等の所定の担当者が、本実施の形態による硬貨処理装置１０が設置された出納室に設けられた収納棚等に別保管されたバラ硬貨を取り出し、この取り出された不足分のバラ硬貨を操作者に手渡すような手払い動作が行われるようになる。また、図１１に示すような表示画面が操作表示部２０２に表示されているときに、「割込装填」ボタンではなく「手払い」ボタンが操作者により押下された場合にも上述した手払い動作が行われるようになる。また、このような手払い動作が行われると、硬貨処理装置１０において手払いされたバラ硬貨の金種毎の枚数に係る情報が操作者によって操作表示部２０２により制御部２００に入力され、この手払いされたバラ硬貨の金種毎の枚数に係る情報が記憶部２０６に記憶されるようになる。
【００６１】
ここで、従来の硬貨処理装置１０において複数の金種のバラ硬貨の出金処理を行う際に、出金されるべき複数の金種のバラ硬貨のうちある金種のバラ硬貨を収納繰出部５２から繰り出している間に当該収納繰出部５２が空状態となってしまい出金されるべき硬貨が不足してしまった場合には、バラ硬貨の出金処理が一時停止され、不足している金種のバラ硬貨を補充することを操作者に指示する旨の画面が操作表示部２０２に表示されるようになっていた。そして、操作者が出金箱９０を抜き取って出金済の硬貨を出金箱９０から取り出した後、出納係等の所定の担当者を呼んで不足している金種のバラ硬貨を硬貨処理装置１０に補充すると（すなわち、バラ硬貨の割込装填処理を行うと）、当該硬貨処理装置１０におけるバラ硬貨の出金処理が再開されるようになっていた。しかしながら、上述したような従来のバラ硬貨の出金処理では、複数の金種のバラ硬貨について出金されるべき硬貨が収納繰出部５２において不足する場合には、その都度バラ硬貨の出金処理が一時停止してしまい、また、その都度出納係等の所定の担当者を呼んでこの担当者が不足しているバラ硬貨の補充処理を行う必要があった。このため、バラ硬貨の出金処理にかかる時間が長くなってしまうとともに、操作者や出納係等の所定の担当者にとって面倒であるという問題があった。これに対し、本実施の形態による硬貨処理装置１０において複数の金種のバラ硬貨の出金処理を行うにあたり、出金されるべきバラ硬貨のうち収納繰出部５２から繰り出し可能なバラ硬貨が全て出金箱９０に送られた後に、特定状態検出手段２１０による検出情報が記憶部２０６に記憶されている場合には収納繰出部５２が特定状態である旨の情報を出力することにより、複数の金種のバラ硬貨について出金されるべきバラ硬貨が収納繰出部５２において不足してしまった場合でも、不足している金種のバラ硬貨の補充等を最後にまとめて行うことができるようになるため、バラ硬貨の出金処理にかかる時間を短縮することができるとともに操作者やバラ硬貨の補充を行う担当者等にとっての作業負担を軽減することができる。
【００６２】
また、上記の説明では、特定状態検出手段２１０により検出されるべき特定状態が、出金されるべきバラ硬貨が収納繰出部５２において不足している状態である場合について述べたが、特定状態検出手段２１０により検出されるべき特定状態が、収納繰出部５２においてバラ硬貨の詰まりが発生した状態である場合についても同様の動作が行われるようになる。
【００６３】
以上のような構成からなる本実施の形態による硬貨処理装置１０およびこのような硬貨処理装置１０による硬貨処理方法によれば、特定状態検出手段２１０により収納繰出部５２が特定状態となったことが検出された場合に当該特定状態検出手段２１０による検出情報が記憶部２０６に記憶されるようになっており、制御部２００は、バラ硬貨の出金処理を行う際に、収納繰出部５２からバラ硬貨を金種毎に繰り出させて出金部（具体的には、出金箱９０）に送るよう各収納繰出部５２を制御し、出金されるべきバラ硬貨のうち収納繰出部５２から繰り出し可能なバラ硬貨が全て出金部としての出金箱９０に送られた後に、特定状態検出手段２１０による検出情報が記憶部２０６に記憶されている場合には収納繰出部５２が特定状態である旨の情報を出力するようになっている。このように、出金されるべきバラ硬貨のうち収納繰出部５２から繰り出し可能なバラ硬貨が全て出金部としての出金箱９０に送られた後に、特定状態検出手段２１０による検出情報が記憶部２０６に記憶されている場合には収納繰出部５２が特定状態である旨の情報を出力することにより、複数の金種のバラ硬貨について出金されるべきバラ硬貨が収納繰出部５２において不足してしまった場合でも、不足している金種のバラ硬貨の補充等を最後にまとめて行うことができるようになるため、バラ硬貨の出金処理にかかる時間を短縮することができるとともに操作者やバラ硬貨の補充を行う担当者等にとっての作業負担を軽減することができる。
【００６４】
また、本実施の形態による硬貨処理装置１０においては、上述したように、制御部２００により出力された情報を報知するための報知部として操作表示部２０２が設けられている。このことにより、特定状態検出手段２１０による検出情報が記憶部２０６に記憶されている場合には、収納繰出部５２が特定状態である旨の情報が操作者に対して報知されることにより（例えば、図１１に示すような画面が操作表示部２０２に表示されることにより）、当該操作者は不足している金種のバラ硬貨の割込装填処理等を行うことができるようになる。なお、特定状態検出手段２１０による検出情報が記憶部２０６に記憶されている場合に収納繰出部５２が特定状態である旨の情報を報知する報知部は操作表示部２０２に限定されることはない。報知部の他の例として、操作者に対して音声により報知を行うような音声部が用いられるようになっていてもよい。また、報知部の更に他の例として、収納繰出部５２が特定状態である旨の情報をレシート等に印字する印字部２０４が用いられてもよい。
【００６５】
また、本実施の形態による硬貨処理装置１０においては、上述したように、制御部２００は、特定状態検出手段２１０によりある金種に係る収納繰出部５２が特定状態となったことが検出された場合に、自動で次の金種に係る収納繰出部５２からバラ硬貨を繰り出させて出金箱９０に送るよう各収納繰出部５２を制御するようになっている。あるいは、制御部２００は、特定状態検出手段２１０によりある金種に係る収納繰出部５２が特定状態となったことが検出された場合に、確認指令が制御部２００に入力されたことを条件として（すなわち、操作表示部２０２に図１０に示すような画面が表示されているときに「スキップ」ボタンが押下されたことを条件として）、次の金種に係る収納繰出部５２からバラ硬貨を繰り出させて出金箱９０に送るよう各収納繰出部５２を制御するようになっていてもよい。
【００６６】
また、本実施の形態による硬貨処理装置１０においては、上述したように、特定状態検出手段２１０により検出されるべき特定状態は、収納繰出部５２から貨幣を繰り出すことができない状態のことである。具体的には、特定状態検出手段２１０により検出されるべき特定状態は、出金されるべきバラ硬貨が収納繰出部５２において不足している状態のことや、収納繰出部５２においてバラ硬貨の詰まりが発生した状態のことである。
【００６７】
ここで、特定状態検出手段２１０により検出されるべき特定状態が、出金されるべきバラ硬貨が収納繰出部５２において不足している状態であるときには、制御部２００は、出金されるべきバラ硬貨のうち収納繰出部５２から繰り出し可能なバラ硬貨が全て出金部としての出金箱９０に送られた後に、特定状態検出手段２１０による検出情報が記憶部２０６に記憶されている場合に、特定状態となっていることが特定状態検出手段２１０により検出された収納繰出部５２に係る金種のバラ硬貨の補充処理（言い換えると、バラ硬貨の割込装填処理）を行うことができるようになっている。また、制御部２００は、出金されるべきバラ硬貨のうち収納繰出部５２から繰り出し可能なバラ硬貨が全て出金部としての出金箱９０に送られた後に、特定状態検出手段２１０による検出情報が記憶部２０６に記憶されている場合に、出金されるべきバラ硬貨のうち出金箱９０に送られなかったバラ硬貨に関する情報を出力するようになっている。
【００６８】
なお、本実施の形態による硬貨処理装置や硬貨処理方法は、上述したような態様に限定されることはなく、様々な変更を加えることができる。
【００６９】
バラ硬貨の出金処理を行う際に、複数の金種のバラ硬貨について出金されるべきバラ硬貨が収納繰出部において不足してしまった場合でも、不足している金種のバラ硬貨の補充等を最後にまとめて行うことができるという本発明の原理が適用されるのは図１乃至図７に示すような構成の硬貨処理装置１０に限定されることはない。上述したような本発明の原理が適用される硬貨処理装置の他の例として、図１５乃至図１７に示すような構成の硬貨処理装置３００が用いられてもよい。ここで、図１５は、変形例に係る硬貨処理装置３００を正面側から見たときの内部構成を概略的に示す概略構成図であり、図１６は、図１５に示す硬貨処理装置３００を左側方から見たときの内部構成を概略的に示す概略構成図であり、図１７は、図１５に示す硬貨処理装置３００を右側方から見たときの内部構成を概略的に示す概略構成図である。また、図１７において包装部により形成された包装硬貨や包装硬貨収納部に収納されている包装硬貨、包装硬貨搬送部により搬送されている包装硬貨等を参照符合Ｗで示している。
【００７０】
図１５乃至図１７に示すような変形例に係る硬貨処理装置３００は、図１乃至図７に示すような構成の硬貨処理装置１０と同様に、バラ硬貨の入金処理や出金処理を行うことができるとともに、機体内で所定枚数（例えば、５０枚）のバラ硬貨に紙やフィルム等の包装媒体を巻くことにより包装硬貨を形成したりこの形成された包装硬貨の出金処理を行ったりすることができるようになっている。このような硬貨処理装置３００は、略直方体形状の筐体３１２と、筐体３１２の上面に設けられた硬貨投入口（図示せず）に投入されたバラ硬貨を筐体３１２の内部に繰り出す入金繰出部３２０と、入金繰出部３２０により繰り出されたバラ硬貨を搬送する入金搬送部３２８と、入金搬送部３２８により搬送されるバラ硬貨を識別する入金識別部（図示せず）とを備えている。また、入金搬送部３２８には、入金識別部により正常な硬貨ではないと識別されたバラ硬貨や入金識別部により識別することができなかったバラ硬貨をリジェクト硬貨として選別するリジェクト選別部（図示せず）、入金識別部により特定の任意の金種の硬貨であると識別されたバラ硬貨を選別する任意選別部（図示せず）、および入金識別部により各々の金種の硬貨であると識別されたバラ硬貨を選別する複数の金種別選別部（図示せず）がそれぞれ設けられている。また、筐体３１２の内部には、任意選別部や各金種別選別部により選別されたバラ硬貨を金種毎に一時的に保留する入金一時保留部３４０、および入金一時保留部３４０から送られたバラ硬貨を金種毎に収納するとともに収納されているバラ硬貨を繰り出すことができる複数の収納繰出部３５２がそれぞれ設けられている。また、筐体３１２の内部には、任意選別部により選別されたバラ硬貨を紙やフィルム等の包装媒体により包装することによって包装硬貨を形成する包装部３６０、包装部３６０により形成された包装媒体を収納する包装硬貨収納部４００および包装部３６０により形成された包装媒体を筐体３１２の内部で搬送する包装硬貨搬送部４１０がそれぞれ設けられている。このような硬貨処理装置３００の各構成部材の詳細について以下に説明する。
【００７１】
入金搬送部３２８は、入金繰出部３２０から繰り出されたバラ硬貨を搬送路に沿って搬送する搬送ベルトを有している。ここで、搬送ベルトには、バラ硬貨を引っ掛ける複数のピンが等間隔で設けられており、入金繰出部３２０から繰り出されたバラ硬貨は搬送ベルトに設けられたピンによって押動されることにより搬送路に沿って搬送されるようになっている。また、上述したように、入金搬送部３２８には、当該入金搬送部３２８により搬送されるバラ硬貨の金種、真偽、正損、新旧、表裏、搬送状態等の識別を行う入金識別部が設けられている。入金識別部によるバラ硬貨の識別情報は後述する制御部５００に送られるようになっている。
【００７２】
また、図１６に示すように、筐体３１２の内部には、リジェクト選別部により選別されたリジェクト硬貨としてのバラ硬貨が集積される入金リジェクト部３３８、およびリジェクト選別部から入金リジェクト部３３８にリジェクト硬貨としてのバラ硬貨を送る入金リジェクト用シュート３３１がそれぞれ設けられている。ここで、操作者は筐体３１２の前面から入金リジェクト部３３８の内部にアクセス可能となっており、入金リジェクト部３３８に送られたリジェクト硬貨としてのバラ硬貨を操作者は筐体３１２の前面から取り出すことができるようになっている。
【００７３】
また、入金搬送部３２８において、硬貨の搬送方向におけるリジェクト選別部の下流側には、入金識別部により特定の任意の金種の硬貨であると識別されたバラ硬貨を選別する任意選別部が設けられている。ここで、任意選別部により選別される特定の任意の金種の硬貨とは、例えばバラ硬貨の包装処理において包装部３６０によって包装媒体により包装されることにより包装硬貨とされるべきバラ硬貨のことをいう。また、入金搬送部３２８において、硬貨の搬送方向における任意選別部の更に下流側には、入金識別部により各々の金種の硬貨であると識別されたバラ硬貨を選別する複数の金種別選別部が設けられている。具体的には、複数の金種別選別部として、硬貨の搬送方向における上流側から順に、５円硬貨を選別する５円硬貨選別部、１円硬貨を選別する１円硬貨選別部、５０円硬貨を選別する５０円硬貨選別部、１００円硬貨を選別する１００円硬貨選別部、１０円硬貨を選別する１０円硬貨選別部および５００円硬貨を選別する５００円硬貨選別部が設けられている。
【００７４】
また、図１５および図１６に示すように、筐体３１２の内部において入金搬送部３２８の下方には入金一時保留部３４０が設けられている。入金一時保留部３４０は、任意選別部により選別されたバラ硬貨が一時的に保留される任意一時保留部３４２と、各金種別選別部により選別されたバラ硬貨が金種別に一時的に保留される金種別一時保留部３４４とを有している。ここで、任意一時保留部３４２は、その上部および底部が開口した枠体から構成されている。また、金種別一時保留部３４４は、５円、１円、５０円、１００円、１０円、５００円の各金種に対応する保留領域３４４ａ、３４４ｂ、３４４ｃ、３４４ｄ、３４４ｅ、３４４ｆに区画された、その上部および底部が開口した枠体から構成されている。また、任意一時保留部３４２および金種別一時保留部３４４は互いに連結されており、これらの任意一時保留部３４２および金種別一時保留部３４４は一体的に水平方向に移動するようになっている。また、任意一時保留部３４２や金種別一時保留部３４４の下方には板状の底部材３４６が設けられており、これらの任意一時保留部３４２や金種別一時保留部３４４の枠体の底部に設けられた開口が底部材３４６により選択的に閉止されるようになっている。また、入金一時保留部３４０は、任意一時保留部３４２および金種別一時保留部３４４を水平方向（具体的には、図１５における左右方向）に移動させる第１駆動機構（図示せず）と、底部材３４６を水平方向（具体的には、図１５における左右方向）に移動させる第２駆動機構（図示せず）とを有している。
【００７５】
また、図１５および図１６に示すように、筐体３１２の内部において入金一時保留部３４０の更に下方には、入金一時保留部３４０から送られたバラ硬貨を筐体３１２の外部に排出するための排出部３５０、入金一時保留部３４０から送られたバラ硬貨を金種毎に収納するとともに収納されているバラ硬貨を繰り出すことができる複数の収納繰出部３５２、入金一時保留部３４０の任意一時保留部３４２から送られたバラ硬貨を包装部３６０に送る包装用シュート３７０、および入金一時保留部３４０の任意一時保留部３４２から送られたバラ硬貨が収納されるバラ硬貨一括収納箱（図示せず）がそれぞれ設けられている。
【００７６】
入金一時保留部３４０における金種別一時保留部３４４は、各金種別選別部の分岐孔の真下かつ排出部３５０の真上の位置である第１位置（図１５において実線で表示）と、各収納繰出部３５２の真上の位置である第２位置（図１５において二点鎖線で表示）との間で移動可能となっている。また、底部材３４６は、第１位置にある金種別一時保留部３４４の底部の開口を塞ぐ第１位置と、第１位置にある金種別一時保留部３４４の底部の開口を開く第２位置との間で移動可能となっている。また、変形例に係る硬貨処理装置３００が待機状態にあるときには金種別一時保留部３４４は第１位置に位置するとともに底部材３４６も第１位置に位置するようになる（図１５参照）。ここで、金種別一時保留部３４４が第１位置に位置するとともに底部材３４６が第１位置に位置しているときには、各金種別選別部の分岐孔に落とし込まれたバラ硬貨は金種別一時保留部３４４の各保留領域３４４ａ〜３４４ｆに金種毎に一時的に保留されるようになる。そして、金種別一時保留部３４４の各保留領域３４４ａ〜３４４ｆにバラ硬貨が一時的に保留されている状態から第１駆動機構により金種別一時保留部３４４が第１位置から第２位置に移動させられると、金種別一時保留部３４４の各保留領域３４４ａ〜３４４ｆの底部に設けられた開口が開くことにより各保留領域３４４ａ〜３４４ｆからバラ硬貨が自重により落下して各収納繰出部３５２の収納領域３５２ａ〜３５２ｆ（後述）に金種毎に送られ、各収納繰出部３５２の収納領域３５２ａ〜３５２ｆに金種毎に収納されるようになる。一方、金種別一時保留部３４４の各保留領域３４４ａ〜３４４ｆにバラ硬貨が一時的に保留されている状態から第２駆動機構により底部材３４６が第１位置から第２位置に移動させられると、金種別一時保留部３４４の各保留領域３４４ａ〜３４４ｆの底部に設けられた開口が開くことにより各保留領域３４４ａ〜３４４ｆからバラ硬貨が自重により落下して排出部３５０に送られ、この排出部３５０に金種混合状態で集積されるようになる。
【００７７】
また、入金一時保留部３４０における任意一時保留部３４２は、第１駆動機構による当該任意一時保留部３４２の移動方向（具体的には、図１５における左右方向）に沿って並ぶ第１保留領域および第２保留領域に区画されたものから構成されている。そして、金種別一時保留部３４４が第１位置（すなわち、図１５において実線で示す位置）に位置しているときには任意一時保留部３４２の第１保留領域が任意選別部の分岐孔の真下に位置するとともに排出部３５０の真上に位置するようになる。なお、このときに底部材３４６が第１位置に位置しているときには任意一時保留部３４２の第１保留領域の底部の開口が当該底部材３４６により塞がれるようになり、任意選別部の分岐孔に落とし込まれたバラ硬貨は任意一時保留部３４２の第１保留領域に一時的に保留されるようになる。また、金種別一時保留部３４４が第２位置（すなわち、図１５において二点鎖線で示す位置）に位置しているときには任意一時保留部３４２の第１保留領域がバラ硬貨一括収納箱（図示せず）の真上に位置するようになっている。そして、任意一時保留部３４２の第１保留領域にバラ硬貨が一時的に保留されている状態から第１駆動機構により金種別一時保留部３４４が第１位置から第２位置に移動させられると、任意一時保留部３４２の第１保留領域の底部に設けられた開口が開くことによりこの第１保留領域からバラ硬貨が自重により落下してバラ硬貨一括収納箱に送られ、このバラ硬貨一括収納箱に収納されるようになる。一方、任意一時保留部３４２の第１保留領域にバラ硬貨が一時的に保留されている状態から第２駆動機構により底部材３４６が第１位置から第２位置に移動させられると、任意一時保留部３４２の第１保留領域の底部に設けられた開口が開くことによりこの第１保留領域からバラ硬貨が自重により落下して排出部３５０に送られ、当該排出部３５０に集積されるようになる。また、第１駆動機構によって、入金一時保留部３４０における任意一時保留部３４２を、その第２保留領域が任意選別部の分岐孔の真下に位置するような第３位置に移動させることができるようになっている。ここで、任意一時保留部３４２が第３位置に位置しているときには、任意選別部の分岐孔に落とし込まれたバラ硬貨は任意一時保留部３４２の第２保留領域に送られた後、この第２保留領域を通過して包装用シュート３７０に送られるようになる。
【００７８】
図１６等に示すように、複数の収納繰出部３５２の各々は、それぞれ、５円、１円、５０円、１００円、１０円、５００円の各金種に対応する収納領域３５２ａ、３５２ｂ、３５２ｃ、３５２ｄ、３５２ｅ、３５２ｆを有しており、これらの収納領域３５２ａ〜３５２ｆにバラ硬貨が金種別に収納されるようになっている。より詳細には、各収納繰出部３５２の収納領域３５２ａ〜３５２ｆには、入金一時保留部３４０の金種別一時保留部３４４の各保留領域３４４ａ〜３４４ｆからバラ硬貨がそれぞれ送られるようになっている。また、各収納繰出部３５２において収納領域３５２ａ〜３５２ｆの底部には回転円盤等の硬貨繰出部がそれぞれ設けられており、各硬貨繰出部により各収納繰出部３５２の収納領域３５２ａ〜３５２ｆからバラ硬貨が１枚ずつ繰り出されるようになっている。また、各収納繰出部３５２の下方には水平方向に延びる第１コンベア３５４が設けられるとともにこの第１コンベア３５４の一端の近傍には出金一時保留部３８０が設けられている。そして、各硬貨繰出部により各収納繰出部３５２の収納領域３５２ａ〜３５２ｆから繰り出されたバラ硬貨は第１コンベア３５４により搬送されて出金一時保留部３８０に送られるようになる。ここで、第１コンベア３５４には、当該第１コンベア３５４により搬送されるバラ硬貨の金種、真偽、正損、新旧、表裏、搬送状態等の識別を行う出金識別部（図示せず）が設けられている。出金識別部によるバラ硬貨の識別情報は後述する制御部５００に送られるようになっている。
【００７９】
出金一時保留部３８０は、図１５において実線で示すような第１位置と、この第１位置よりも図１５において左側に位置にする第２位置（図１５において二点鎖線で表示）と、この第１位置よりも図１５において右側に位置にする第３位置（図１５において二点鎖線で表示）との間で図１５における左右方向に移動可能となっている。ここで、出金一時保留部３８０が第１位置に位置しているときには、第１コンベア３５４から当該出金一時保留部３８０にバラ硬貨が送られてこの出金一時保留部３８０に一時的に保留されるようになる。また、筐体３１２の内部には、図１５や図１６において上下方向に移動自在となっている出金箱３９０が設けられている。この出金箱３９０は、図１５において実線で示すような下側位置と、図１５において二点鎖線で示すような上側位置との間で移動可能となっており、出金箱３９０が下側位置に位置しているときには、第２位置に位置する出金一時保留部３８０がこの出金箱３９０の真上に位置するようになっている。また、第１コンベア３５４から出金一時保留部３８０にバラ硬貨が送られてこの出金一時保留部３８０にバラ硬貨が一時的に保留された後、出金一時保留部３８０が第１位置から第２位置に移動するとこの出金一時保留部３８０で一時的に保留されているバラ硬貨が自重により落下して出金箱３９０に送られ、この出金箱３９０に収納されるようになっている。また、出金箱３９０が図１５において二点鎖線で示すような上側位置に移動すると、操作者は筐体３１２の上面や前面上部に設けられた出金口（図示せず）を介してこの出金箱３９０からバラ硬貨を取り出すことができるようになっている。また、第３位置に位置している出金一時保留部３８０の真下には出金リジェクト箱３５６が設けられている。そして、第１コンベア３５４から出金一時保留部３８０にバラ硬貨が送られてこの出金一時保留部３８０にバラ硬貨が一時的に保留された後、出金一時保留部３８０が第１位置から第３位置に移動するとこの出金一時保留部３８０で一時的に保留されているバラ硬貨が自重により落下して出金リジェクト箱３５６に送られ、この出金リジェクト箱３５６に収納されるようになっている。
【００８０】
排出部３５０は、筐体３１２の前面から操作者が手前側に引き出し可能な返却箱を有しており、入金一時保留部３４０における任意一時保留部３４２の第１保留領域や金種別一時保留部３４４の各保留領域３４４ａ〜３４４ｆから送られたバラ硬貨が金種混合状態で集積されるようになっている。
【００８１】
バラ硬貨一括収納箱は、筐体３１２の前面から操作者が手前側に引き出し可能となっており、入金一時保留部３４０における任意一時保留部３４２の第１保留領域から送られたバラ硬貨が集積されるようになっている。
【００８２】
図１５および図１６に示すように、包装用シュート３７０は、入金一時保留部３４０における任意一時保留部３４２の第２保留領域から送られたバラ硬貨を包装部３６０に送るようになっている。
【００８３】
また、筐体３１２の内部には第１コンベア３５４から包装用シュート３７０の途中箇所にバラ硬貨を送る第２コンベア３５７が設けられている。このような第２コンベア３５７が設けられていることにより、各硬貨繰出部により各収納繰出部３５２の収納領域３５２ａ〜３５２ｆから繰り出されて第１コンベア３５４により搬送されるバラ硬貨をこの第１コンベア３５４から第２コンベア３５７に受け渡すことによって第２コンベア３５７から包装用シュート３７０にバラ硬貨を送ることができるようになる。また、筐体３１２の内部には第１コンベア３５４から入金繰出部３２０にバラ硬貨を送る第３コンベア３５８が設けられている。このような第３コンベア３５８が設けられていることにより、各硬貨繰出部により各収納繰出部３５２の収納領域３５２ａ〜３５２ｆから繰り出されて第１コンベア３５４により搬送されるバラ硬貨をこの第１コンベア３５４から第３コンベア３５８に受け渡すことによって第３コンベア３５８から入金繰出部３２０にバラ硬貨を戻すことができるようになる。
【００８４】
包装部３６０は、包装用シュート３７０により当該包装部３６０に送られたバラ硬貨が集積されるとともに集積されたバラ硬貨を１枚ずつ繰り出す集積部としての回転円盤３６２と、回転円盤３６２により繰り出されたバラ硬貨を搬送するコンベア３６３と、コンベア３６３により搬送されたバラ硬貨が積層状態で集積されるとともに集積された所定の枚数（例えば、５０枚）のバラ硬貨を紙やフィルム等の包装媒体により包装する包装機構３６８とを有している。ここで、包装機構３６８は上方から見て仮想の正三角形の各頂点に位置する３本の包装ローラ３６８ａを有しており、各包装ローラ３６８ａの間の包装領域において所定枚数重積した重積硬貨が包装媒体により包装されて包装硬貨が形成されるようになっている。図１７に示すように、包装機構３６８により形成された包装硬貨はこの包装機構３６８から下方に排出されるようになっている。また、包装機構３６８の下方には包装硬貨用シュート３６５および横搬送部３６７が設けられており、包装機構３６８により形成された包装硬貨が当該包装機構３６８から下方に排出されると、この排出された包装硬貨は包装硬貨用シュート３６５を通って横搬送部３６７に送られ、この横搬送部３６７により包装硬貨搬送部４１０に向かって搬送されるようになる。
【００８５】
図１７に示すように、包装硬貨搬送部４１０は、筐体３１２の内部における上部および下部にそれぞれ設けられた２つのプーリ４１２と、これらの２つのプーリ４１２に掛け渡された無端状の循環ベルト４１４と、２つのプーリ４１２のうち一方のプーリ４１２を回転駆動させることにより循環ベルト４１４を図１７における反時計回りの方向に循環移動させる駆動モータ（図示せず）とを有している。また、図１７に示すように、循環ベルト４１４には、包装硬貨搬送部４１０により搬送されるべき包装硬貨が引っ掛けられる突起４１６が等間隔で複数設けられている。ここで、各突起４１６は、当該突起４１６と包装硬貨とが接する面が循環ベルト４１４の延びる方向（すなわち、図１７における上下方向）に対して所定の角度（例えば、６０°）をなして傾斜する方向に当該循環ベルト４１４から突出して形成されている。このように各突起４１６が循環ベルト４１４の延びる方向に対して傾斜していることにより、突起４１６に引っ掛けられた包装硬貨はその自重により突起４１６上で循環ベルト４１４側に寄せられるようになる。そして、循環ベルト４１４が図１７における反時計回りの方向に循環移動すると、包装硬貨は突起４１６に引っ掛けられた状態で（すなわち、突起４１６上で循環ベルト４１４側に寄せられた状態で）循環ベルト４１４の移動に合わせて図１７における反時計回りの方向に沿って搬送されるようになる。また、本実施の形態では、循環ベルト４１４は、所定量だけ移動すると所定時間だけ停止し、その後再び所定量だけ移動するような動作が繰り返し行われる間欠移動を行うよう、駆動モータにより駆動させられるようになっている。
【００８６】
また、図１７に示すように、筐体３１２の内部において包装硬貨搬送部４１０の近傍には、包装硬貨の収納を行う包装硬貨収納部４００が設けられている。ここで、包装硬貨収納部４００は、同一金種の複数の包装硬貨を一列に収納する複数（図１７に示す例では６つ）の収納トレイ４０２を有しており、各収納トレイ４０２には包装硬貨が金種別に収納されるようになっている。ここで、各収納トレイ４０２は水平方向に対して傾斜しており、収納トレイ４０２に収納されている包装硬貨は、包装硬貨搬送部４１０に近い側である収納トレイ４０２の最前部に向かって転がるようになっている。また、各収納トレイ４０２は鉛直方向に沿って並ぶよう配置されている。また、各収納トレイ４０２は、図１７に示す位置から包装硬貨搬送部４１０に向かって（すなわち、図１７における左方向に）移動可能となっており、各収納トレイ４０２が包装硬貨搬送部４１０における循環ベルト４１４の近傍の位置まで進出したときに、各収納トレイ４０２に収納されている包装硬貨が循環ベルト４１４の突起４１６に１つずつ受け渡されるようになる。また、各収納トレイ４０２の前端部分（すなわち、図１７における左端部分）と、包装硬貨搬送部４１０との間には、各収納トレイ４０２に対応して複数のストッパ部分が設けられたストッパ機構４０４が上下方向に移動可能に配置されている。このストッパ機構４０４が下降位置にあるときには、包装硬貨搬送部４１０に向かって進出した収納トレイ４０２の最前部の包装硬貨にストッパ部分が接触してこの最前部の包装硬貨が循環ベルト４１４の突起４１６に受け渡されないようになる。この場合には、循環ベルト４１４により搬送される包装硬貨が突起４１６から収納トレイ４０２の最前部に受け渡され、この収納トレイ４０２に収納されるようになる。一方、ストッパ機構４０４が上昇位置にあるときには、包装硬貨搬送部４１０に向かって進出した収納トレイ４０２の最前部の包装硬貨にストッパ部分が接触せず、この最前部の包装硬貨が循環ベルト４１４の突起４１６に受け渡されるようになる。
【００８７】
また、筐体３１２の前面において包装硬貨搬送部４１０の前部域には、出金されるべき包装硬貨が収納される包装硬貨出金部４３０、包装硬貨一括収納箱４３２および包装硬貨投出部４３４がそれぞれ設けられている。また、包装硬貨出金部４３０、包装硬貨一括収納箱４３２および包装硬貨投出部４３４の各々に対応して、包装硬貨搬送部４１０の循環ベルト４１４により搬送される包装硬貨を選択的に包装硬貨出金部４３０、包装硬貨一括収納箱４３２および包装硬貨投出部４３４にそれぞれ分岐させる分岐部材４１８、４１９、４２０が設けられている。ここで、操作者は筐体３１２の前面から包装硬貨出金部４３０にアクセス可能となっており、包装硬貨出金部４３０に収納されている包装硬貨を操作者は筐体３１２の外部に取り出すことができるようになっている。また、操作者は筐体３１２の前面から包装硬貨投出部４３４にアクセス可能となっており、包装硬貨搬送部４１０の循環ベルト４１４から分岐部材４２０により包装硬貨投出部４３４に送られた包装硬貨を操作者は筐体３１２の外部に取り出すことができるようになっている。
【００８８】
また、図１５に示すように、変形例に係る硬貨処理装置３００には、当該硬貨処理装置３００の各構成部材の制御を行う制御部５００が設けられている。ここで、入金識別部や出金識別部によるバラ硬貨の識別情報はこれらの入金識別部や出金識別部から制御部５００に送られるようになっている。また、制御部５００は、硬貨処理装置３００の各構成部材に指令の信号を送ることによりこれらの構成部材の動作を制御するようになっている。
【００８９】
また、制御部５００には、例えば筐体３１２の上部に設けられたタッチパネル等からなり、各収納繰出部３５２が特定状態となったことを収納繰出部３５２毎に検出する特定状態検出手段５１０、硬貨処理装置３００における硬貨の処理状況等の様々な情報を表示するとともに操作者が様々な指令を入力可能な操作表示部５０２、および特定状態検出手段５１０により収納繰出部３５２が特定状態となったことが検出された場合に当該特定状態検出手段５１０による検出情報を記憶する記憶部５０６がそれぞれ接続されている。ここで、特定状態検出手段５１０により検出されるべき特定状態は、収納繰出部３５２からバラ硬貨を繰り出すことができない状態のことをいう。具体的には、特定状態検出手段５１０により検出されるべき特定状態は、出金されるべきバラ硬貨が収納繰出部３５２において不足している状態や、収納繰出部３５２の硬貨繰出部等においてバラ硬貨の詰まりが発生した状態のことをいう。また、特定状態検出手段５１０により収納繰出部３５２が特定状態となったことが検出された場合には当該特定状態検出手段５１０による検出情報が記憶部５０６に記憶されるようになっている。また、制御部５００は、バラ硬貨の出金処理を行う際に、出金されるべきバラ硬貨のうち収納繰出部３５２から繰り出し可能なバラ硬貨が全て出金箱３９０に送られた後に、特定状態検出手段５１０による検出情報が記憶部５０６に記憶されている場合には収納繰出部３５２が特定状態である旨の情報を出力するようになっている。
【００９０】
次に、このような構成からなる硬貨処理装置３００の動作（とりわけ、硬貨処理装置３００におけるバラ硬貨の出金処理に係る動作）について説明する。なお、以下に示すような硬貨処理装置３００の動作は、制御部５００が硬貨処理装置３００の各構成部材を制御することにより行われるようになっている。
【００９１】
変形例に係る硬貨処理装置３００では、各収納繰出部３５２に収納されているバラ硬貨の在高に係る情報（具体的には、例えば各収納繰出部３５２に収納されているバラ硬貨の金種毎の枚数等の情報）が記憶部５０６に記憶されている。また、操作者によって操作表示部５０２によりバラ硬貨の出金処理開始の指令が入力されたり、上位端末等の外部装置から通信インターフェース部（図示せず）を介して制御部５００にバラ硬貨の出金処理開始の指令が制御部５００に送信されたりすると、制御部５００において出金処理開始の指令が受け付けられるようになる。なお、この際に、操作者は操作表示部５０２により出金されるべきバラ硬貨の金種毎の枚数を入力するようになる。また、操作者が操作表示部５０２により出金されるべきバラ硬貨の金種毎の枚数を入力する代わりに、上位端末等の外部装置から通信インターフェース部を介して制御部５００に出金されるべきバラ硬貨の金種毎の枚数に係る情報が送信されるようになっていてもよい。
【００９２】
制御部５００において出金処理開始の指令が受け付けられると、当該制御部５００において、記憶部５０６に記憶されている各収納繰出部３５２におけるバラ硬貨の在高に係る情報に基づいて、出金されるべきバラ硬貨が各収納繰出部３５２において不足している状態であるか否かが判断される。ここで、記憶部５０６に記憶されている各収納繰出部３５２におけるバラ硬貨の在高に係る情報に基づいて、出金されるべきバラ硬貨の全ての金種について収納繰出部３５２に収納されているバラ硬貨の枚数が出金されるべきバラ硬貨の枚数以上であると制御部５００により判断された場合には、出金されるべきバラ硬貨の金種毎に収納繰出部３５２からバラ硬貨を繰り出して第１コンベア３５４により図１５において実線で示すような第１位置に位置する出金一時保留部３８０に当該バラ硬貨を送るような動作が行われる。また、バラ硬貨の出金処理が行われる際に収納繰出部３５２の各収納領域３５２ａ〜３５２ｆから繰り出されるバラ硬貨の金種の順番は予め設定されている。具体的には、例えば、５円硬貨、１円硬貨、５０円硬貨、１００円硬貨、１０円硬貨、５００円硬貨の順に収納繰出部３５２の各収納領域３５２ａ〜３５２ｆからバラ硬貨が繰り出されるようになっている。
【００９３】
一方、制御部５００において出金処理開始の指令が受け付けられたときに、記憶部５０６に記憶されている各収納繰出部３５２におけるバラ硬貨の在高に係る情報に基づいて、出金されるべきバラ硬貨の各金種のうち少なくとも１つの金種について収納繰出部３５２に収納されているバラ硬貨の枚数が出金されるべきバラ硬貨の枚数よりも少ない場合には、制御部５００において出金されるべきバラ硬貨が各収納繰出部３５２において不足している状態であると判断される。この場合には、バラ硬貨の割込装填処理等を促す旨のメッセージが操作表示部５０２に表示されるようになる。そして、不足している金種のバラ硬貨について割込装填処理（すなわち、不足している金種のバラ硬貨を硬貨投入口に投入することによって各収納繰出部３５２にバラ硬貨を補充する処理）が行われると、出金されるべきバラ硬貨の金種毎に収納繰出部３５２からバラ硬貨を繰り出して出金一時保留部３８０に送るような動作が行われる。
【００９４】
また、出金されるべきバラ硬貨の金種毎に収納繰出部３５２からバラ硬貨を繰り出して出金一時保留部３８０に送るような動作が行われる際に、出金されるべきバラ硬貨が収納繰出部３５２において不足していることが特定状態検出手段５１０により検出された場合には、制御部５００は特定状態検出手段５１０による検出情報を記憶部５０６に記憶させる。また、制御部５００は、特定状態検出手段５１０によりある金種に係る収納繰出部３５２が特定状態となったことが検出された場合に、自動で次の金種に係る収納繰出部３５２からバラ硬貨を繰り出させて出金一時保留部３８０に送るよう各収納繰出部３５２を制御するようになっている。なお、このような動作が行われる代わりに、制御部５００は、特定状態検出手段５１０によりある金種に係る収納繰出部３５２が特定状態となったことが検出された場合に、確認指令が当該制御部５００に入力されたことを条件として次の金種に係る収納繰出部３５２からバラ硬貨を繰り出させて出金一時保留部３８０に送るよう各収納繰出部３５２を制御するようになっていてもよい。具体的には、出金されるべきバラ硬貨が収納繰出部３５２において不足していることが特定状態検出手段５１０により検出された場合に、各収納繰出部３５２からのバラ硬貨の繰り出し動作が中断されるが、操作者が操作表示部５０２の表示画面における「スキップ」ボタンを押下すると、次の金種に係る収納繰出部３５２からバラ硬貨が繰り出されて出金一時保留部３８０に送られるようになっていてもよい。
【００９５】
ある金種について収納繰出部３５２からバラ硬貨を繰り出して出金一時保留部３８０に送るような動作が行われた後、出金されるべき硬貨について他の金種がある場合には、他の金種のバラ硬貨について同様の動作が引き続き行われるようになる。一方、出金されるべきバラ硬貨の全ての金種について収納繰出部３５２からバラ硬貨を繰り出して出金一時保留部３８０に送ることにより、出金されるべきバラ硬貨について他の金種がない場合には、特定状態検出手段５１０による検出情報が記憶部５０６に記憶されているか否かの判断が制御部５００により行われる。ここで、出金されるべき硬貨の全ての金種について特定状態検出手段５１０による検出情報が記憶部５０６に記憶されていないと制御部５００により判断された場合には、すなわち出金されるべきバラ硬貨の全ての金種に係る収納繰出部３５２について特定状態検出手段５１０により特定状態が検出されなかった場合には、出金確定を操作者に促すメッセージが操作表示部５０２に表示されるようになる。そして、操作者が操作表示部５０２により出金確定の指令を入力すると、出金一時保留部３８０が図１５において実線で示すような第１位置からこの第１位置よりも左側に位置する第２位置に移動し、出金一時保留部３８０に一時的に保留されているバラ硬貨が下側位置に位置する出金箱３９０に送られるようになる。その後、出金箱３９０が下側位置から上側位置に移動することにより、操作者は筐体３１２の上面や前面上部に設けられた出金口を介してこの出金箱３９０からバラ硬貨を取り出すことができるようになる。また、出金箱３９０が下側位置から上側位置に移動すると、出金情報（具体的には、出金されたバラ硬貨の金種毎の枚数や合計金額、取引日時、等）が印字部（図示せず）によりレシートに印字されるようになる。一方、出金確定を操作者に促すメッセージが操作表示部５０２に表示されたときに、操作者が操作表示部５０２により出金確定の指令ではなく出金取り止めの指令を入力すると、出金一時保留部３８０が図１５において実線で示すような第１位置からこの第１位置よりも右側に位置する第３位置に移動し、出金一時保留部３８０に一時的に保留されているバラ硬貨が出金リジェクト箱３５６に送られ、一連の出金動作が再実行されるようになる。
【００９６】
また、出金されるべきバラ硬貨の少なくとも１つの金種について特定状態検出手段５１０による検出情報が記憶部５０６に記憶されていると制御部５００により判断された場合には、制御部５００は、特定状態となっていることが特定状態検出手段５１０により検出された収納繰出部３５２に係る金種のバラ硬貨の割込装填処理（言い換えると、バラ硬貨の補充処理）を行うことができるようになっている。また、この場合には、制御部５００は、出金されるべきバラ硬貨のうち出金一時保留部３８０に送られなかったバラ硬貨に関する情報を出力するようになっている。より詳細には、不足している金種のバラ硬貨に係る情報が制御部５００から出力され、制御部５００により出力された情報が操作表示部５０２に表示されるとともに、バラ硬貨の割込装填処理等を促す旨のメッセージが操作表示部５０２に表示されるようになる。このような情報やメッセージが操作表示部５０２に表示に表示されると、操作者はまず出納係等の所定の担当者を呼ぶ。なお、出納係等の所定の担当者がバラ硬貨の出金処理を行っている場合には、この担当者が引き続き以下に示すような割込装填処理を行うようになる。そして、操作表示部５０２に表示される画面において所定の担当者が「割込装填」のボタンを押下すると、この担当者は不足している金種のバラ硬貨を硬貨投入口に投入することによって各収納繰出部３５２にバラ硬貨を補充するような割込装填処理を行うことができるようになる。より詳細には、不足している金種のバラ硬貨が硬貨投入口に投入されると、入金繰出部３２０から入金搬送部３２８にバラ硬貨が１枚ずつ繰り出され、この繰り出されたバラ硬貨は入金搬送部３２８により搬送される。また、入金搬送部３２８により搬送されるバラ硬貨は入金識別部によりその金種、真偽、正損、新旧、表裏、搬送状態等の識別が行われる。そして、入金識別部により正常な硬貨であると識別されたバラ硬貨は各金種別選別部により金種毎に選別され、各金種別選別部の分岐孔に送り込まれたバラ硬貨は入金一時保留部３４０における金種別一時保留部３４４の各保留領域３４４ａ〜３４４ｆに金種別に一時的に保留されるようになる。そして、硬貨投入口に投入されたバラ硬貨が全て金種別一時保留部３４４に送られた後、入金一時保留部３４０において自動で金種別一時保留部３４４が第１駆動機構により第１位置から第２位置に移動させられ、金種別一時保留部３４４の各保留領域３４４ａ〜３４４ｆの底部に設けられた開口が開くことにより各保留領域３４４ａ〜３４４ｆからバラ硬貨が自重により落下して各収納繰出部３５２の収納領域３５２ａ〜３５２ｆに金種毎に送られ、各収納繰出部３５２の収納領域３５２ａ〜３５２ｆに金種毎に収納されるようになる。このようにして、不足している金種のバラ硬貨が各収納繰出部３５２の収納領域３５２ａ〜３５２ｆに補充される。そして、不足している金種のバラ硬貨について割込装填処理が行われると、出金されるべきバラ硬貨の金種毎に収納繰出部３５２からバラ硬貨を繰り出して出金一時保留部３８０に送るような動作が引き続き行われるようになる。
【００９７】
なお、出金されるべきバラ硬貨の少なくとも１つの金種について特定状態検出手段５１０による検出情報が記憶部５０６に記憶されていると制御部５００により判断された場合において、操作表示部５０２に表示される画面において操作者が「割込装填」ボタンではなく「出金」ボタンを押下すると、各収納繰出部３５２に収納されているバラ硬貨のうち出金可能な金種のバラ硬貨を当該収納繰出部３５２から繰り出させて出金一時保留部３８０に送るような動作が行われるようになる。この場合には、不足分のバラ硬貨については、出納係等の所定の担当者が、硬貨処理装置３００が設置された出納室に設けられた収納棚等に別保管されたバラ硬貨を取り出し、この取り出された不足分のバラ硬貨を操作者に手渡すような手払い動作が行われるようになる。また、操作表示部５０２に表示される画面において操作者が「割込装填」ボタンではなく「手払い」ボタンを押下した場合にも上述した手払い動作が行われるようになる。また、このような手払い動作が行われると、硬貨処理装置３００において手払いされたバラ硬貨の金種毎の枚数に係る情報が操作者によって操作表示部５０２により制御部５００に入力され、この手払いされたバラ硬貨の金種毎の枚数に係る情報が記憶部５０６に記憶されるようになる。
【００９８】
また、上記の説明では、特定状態検出手段５１０により検出されるべき特定状態が、出金されるべきバラ硬貨が収納繰出部３５２において不足している状態である場合について述べたが、特定状態検出手段５１０により検出されるべき特定状態が、収納繰出部３５２においてバラ硬貨の詰まりが発生した状態である場合についても同様の動作が行われるようになる。
【００９９】
図１５乃至図１７に示すような変形例に係る硬貨処理装置３００およびこのような硬貨処理装置３００による硬貨処理方法でも、図１乃至図７に示す構成の硬貨処理装置１０と同様に、特定状態検出手段５１０により収納繰出部３５２が特定状態となったことが検出された場合に当該特定状態検出手段５１０による検出情報が記憶部５０６に記憶されるようになっており、制御部５００は、バラ硬貨の出金処理を行う際に、収納繰出部３５２からバラ硬貨を金種毎に繰り出させて出金部（具体的には、出金一時保留部３８０）に送るよう各収納繰出部３５２を制御し、出金されるべきバラ硬貨のうち収納繰出部３５２から繰り出し可能なバラ硬貨が全て出金部としての出金一時保留部３８０に送られた後に、特定状態検出手段５１０による検出情報が記憶部５０６に記憶されている場合には収納繰出部３５２が特定状態である旨の情報を出力するようになっている。このように、出金されるべきバラ硬貨のうち収納繰出部３５２から繰り出し可能なバラ硬貨が全て出金部としての出金一時保留部３８０に送られた後に、特定状態検出手段５１０による検出情報が記憶部５０６に記憶されている場合には収納繰出部３５２が特定状態である旨の情報を出力することにより、複数の金種のバラ硬貨について出金されるべきバラ硬貨が収納繰出部３５２において不足してしまった場合でも、不足している金種のバラ硬貨の補充等を最後にまとめて行うことができるようになるため、バラ硬貨の出金処理にかかる時間を短縮することができるとともに操作者やバラ硬貨の補充を行う担当者等にとっての作業負担を軽減することができる。
【０１００】
また、バラ硬貨の出金処理を行う際に、複数の金種のバラ硬貨について出金されるべきバラ硬貨が収納繰出部において不足してしまった場合でも、不足している金種のバラ硬貨の補充等を最後にまとめて行うことができるという本発明の原理を、包装硬貨の出金処理やバラ紙幣の出金処理、あるいは帯封紙幣の出金処理にも適用することができる。例えば、少なくともバラ紙幣の出金処理を行う紙幣処理装置では、払い出されたバラ紙幣が金種別に集積されるように、１金種ずつバラ紙幣が各収納繰出部から繰り出される。そのような紙幣処理装置が、バラ紙幣を金種毎に収納するとともに収納されているバラ紙幣を繰り出し可能な複数の収納繰出部と、各収納繰出部が特定状態となったことを収納繰出部毎に検出する特定状態検出手段と、各収納繰出部から繰り出されたバラ紙幣を出金するための出金部とを備えていていてもよい。また、このような本発明に係る紙幣処理装置において、バラ紙幣の出金処理を行う際に、収納繰出部からバラ紙幣を金種毎に繰り出させて出金部に送るよう各収納繰出部を制御し、この際に特定状態検出手段により収納繰出部が特定状態となったことが検出された場合には当該検出手段による検出情報を記憶部に記憶させるようになっている。そして、このような本発明に係る紙幣処理装置において、出金されるべきバラ紙幣のうち収納繰出部から繰り出し可能なバラ紙幣が全て出金部に送られた後に、特定状態検出手段による検出情報が記憶部に記憶されている場合には収納繰出部が特定状態である旨の情報が出力され、この出力された情報が例えば操作表示部に表示されるようになっている。このような紙幣処理装置では、バラ紙幣の出金処理を行う際に、出金されるべきバラ紙幣のうち収納繰出部から繰り出し可能なバラ紙幣が全て出金部に送られた後に、特定状態検出手段による検出情報が記憶部に記憶されている場合には収納繰出部が特定状態である旨の情報を出力することにより、複数の金種のバラ紙幣について出金されるべきバラ紙幣が収納繰出部において不足してしまった場合でも、不足している金種のバラ紙幣の補充等を最後にまとめて行うことができるようになるため、バラ紙幣の出金処理にかかる時間を短縮することができるとともに操作者やバラ紙幣の補充を行う担当者等にとっての作業負担を軽減することができる。
【０１０１】
また、本発明の貨幣処理装置は、少なくともバラ硬貨および／または包装硬貨等の硬貨の出金処理を行う硬貨処理装置と、少なくともバラ紙幣および／または帯封紙幣等の紙幣の出金処理を行う紙幣処理装置とを組み合わせたものが用いられるようになっていてもよい。このような硬貨処理装置および紙幣処理装置を組み合わせた本発明の貨幣処理装置では、硬貨および紙幣の両方の出金処理を行う際に、出金されるべき硬貨や紙幣のうち収納繰出部から繰り出し可能な硬貨や紙幣が全て出金部に送られた後に、特定状態検出手段による検出情報が記憶部に記憶されている場合には収納繰出部が特定状態である旨の情報を出力するようになっている。このことにより、複数の金種の硬貨や紙幣について出金されるべき硬貨や紙幣が収納繰出部において不足してしまった場合でも、不足している金種の硬貨や紙幣の補充等を最後にまとめて行うことができるようになるため、硬貨や紙幣の出金処理にかかる時間を短縮することができるとともに操作者や硬貨や紙幣の補充を行う担当者等にとっての作業負担を軽減することができる。また、この際に、硬貨に係る収納繰出部および紙幣に係る収納繰出部の両方において硬貨や紙幣が不足してしまった場合でも、収納繰出部から繰り出し可能な硬貨や紙幣が全て出金部に送られた後に、不足している金種の硬貨および紙幣の補充等を最後にまとめて行うことができるようになる。
【符号の説明】
【０１０２】
１０      硬貨処理装置
１２      筐体
２０      入金繰出部
２１      硬貨投入口
２２      供給円盤
２４      回転円盤
２６      繰出機構
２８      入金搬送部
２９      入金識別部
３０      リジェクト選別部
３１      入金リジェクト用シュート
３４      任意選別部
３６      金種別選別部
３６ａ    ５円硬貨選別部
３６ｂ    １円硬貨選別部
３６ｃ    ５０円硬貨選別部
３６ｄ    １００円硬貨選別部
３６ｅ    １０円硬貨選別部
３６ｆ    ５００円硬貨選別部
３８      入金リジェクト部
４０      入金一時保留部
４２      任意一時保留部
４４      金種別一時保留部
４４ａ〜４４ｆ  保留領域
４５      第１駆動機構
４６      底部材
４７      第２駆動機構
５０      排出部
５０ａ    返却箱
５２      収納繰出部
５２ａ〜５２ｆ  収納領域
５２ｐ    硬貨繰出部
５４      コンベア
５５      出金識別部
５６      出金リジェクト箱
５７      包装用シュート
５８      出金用シュート
６０      包装部
６２      回転円盤
６３      コンベア
６４      排出シュート
６５      包装硬貨用シュート
６７      横搬送部
６８      包装機構
６８ａ    包装ローラ
６９      切換部材
７０      シュート機構
７２      上部シュート
７４      貯留用シュート
７４ａ    排出側開口
７５      貯留袋
７６      包装用シュート
７８      分岐部材
９０      出金箱
９０ａ    取っ手
９２      シャッタ部材
９４      出金リジェクト用シュート
９６      分岐部材
９７      端数硬貨収納箱
９８      バラ硬貨一括収納箱
１００    包装硬貨収納部
１０２    収納トレイ
１０４    ストッパ機構
１０４ａ  ストッパ部分
１１０    包装硬貨搬送部
１１２    プーリ
１１４    循環ベルト
１１６    突起
１１８、１１９  分岐部材
１３０    包装硬貨出金部
１３２    包装硬貨一括収納箱
１３４    包装硬貨投出用シュート
１３６    包装硬貨投出部
２００    制御部
２０２    操作表示部
２０４    印字部
２０６    記憶部
２０８    通信インターフェース部
２１０    特定状態検出手段
３００    硬貨処理装置
３１２    筐体
３２０    入金繰出部
３２８    入金搬送部
３３１    入金リジェクト用シュート
３３８    入金リジェクト部
３４０    入金一時保留部
３４２    任意一時保留部
３４４    金種別一時保留部
３４４ａ〜３４４ｆ  保留領域
３４６    底部材
３５０    排出部
３５２    収納繰出部
３５２ａ〜３５２ｆ  収納領域
３５４    第１コンベア
３５６    出金リジェクト箱
３５７    第２コンベア
３５８    第３コンベア
３６０    包装部
３６２    回転円盤
３６３    コンベア
３６５    包装硬貨用シュート
３６７    横搬送部
３６８    包装機構
３６８ａ  包装ローラ
３７０    包装用シュート
３８０    出金一時保留部
３９０    出金箱
４００    包装硬貨収納部
４０２    収納トレイ
４０４    ストッパ機構
４１０    包装硬貨搬送部
４１２    プーリ
４１４    循環ベルト
４１６    突起
４１８、４１９、４２０  分岐部材
４３０    包装硬貨出金部
４３２    包装硬貨一括収納箱
４３４    包装硬貨投出部
５００    制御部
５０２    操作表示部
５０６    記憶部
５１０    特定状態検出手段
【図１】
0006562797.tif 000002
【図２】
0006562797.tif 000003
【図３】
0006562797.tif 000004
【図４】
0006562797.tif 000005
【図５】
0006562797.tif 000006
【図６】
0006562797.tif 000007
【図７】
0006562797.tif 000008
【図８】
0006562797.tif 000009
【図９】
0006562797.tif 000010
【図１０】
0006562797.tif 000011
【図１１】
0006562797.tif 000012
【図１２】
0006562797.tif 000013
【図１３】
0006562797.tif 000014
【図１４】
0006562797.tif 000015
【図１５】
0006562797.tif 000016
【図１６】
0006562797.tif 000017
【図１７】
0006562797.tif 000018